(57)【要約】【課題】本発明は、比較的簡易な構成で小型化でき、自機１つによって複数の配光分布を実現できる導光板および照明装置を提供する。【解決手段】本発明の導光板１ａは、光を入射するための入射面ＳＦｉｎと、互いに対向する第１および第２主面ＳＦ１、ＳＦ２と、第１および第２主面ＳＦ１、ＳＦ２のうちの少なくとも一方であって複数に分割した複数の領域ＡＲそれぞれに設けられ、光の進行方向を変える複数の光路変更部１１とを備え、これら複数の光路変更部１１は、少なくとも２つの領域で互いに異なることを特徴とする。そして、本発明の照明装置Ｄａは、このような導光板１ａを用いる。【選択図】図１
2016004700.tif 000002
【特許請求の範囲】
【請求項１】
光を入射するための入射面と、
互いに対向する第１および第２主面と、
前記第１および第２主面のうちの少なくとも一方であって複数に分割した複数の領域それぞれに設けられ、光の進行方向を変える複数の光路変更部とを備え、
前記複数の光路変更部は、少なくとも２つの領域で互いに異なること
を特徴とする導光板。
【請求項２】
前記少なくとも２つの領域で互いに異なる前記複数の光路変更部は、形状および拡散度のうちの少なくとも一方が異なること
を特徴とする請求項１に記載の導光板。
【請求項３】
前記少なくとも２つの領域で互いに異なる前記複数の光路変更部は、最大強度の出射角度が異なるように、前記形状および拡散度のうちの少なくとも一方が異なること
を特徴とする請求項２に記載の導光板。
【請求項４】
前記少なくとも２つの領域で互いに異なる前記複数の光路変更部は、所定の閾値以上である出射強度の幅が異なるように、前記形状および拡散度のうちの少なくとも一方が異なること
を特徴とする請求項２または請求項３に記載の導光板。
【請求項５】
前記少なくとも２つの領域で互いに異なる前記複数の光路変更部は、中央位置に近い領域から出射される第１光束における最大強度の第１出射角度が前記中央位置から遠い第２領域の第２光束における最大強度の第２出射角度より大きく、かつ、前記第１光束における強度の半値幅が前記第２光束における強度の半値幅より小さくなるように、前記形状および拡散度のうちの少なくとも一方が異なること
を特徴とする請求項２ないし請求項４のいずれか１項に記載の導光板。
【請求項６】
前記入射面は、凹凸形状の凹凸部を備えること
を特徴とする請求項１または請求項５に記載の導光板。
【請求項７】
前記入射面は、前記第１および第２主面それぞれに対する側面であり、
前記複数の光路変更部は、前記第２主面に設けられ、
前記複数の光路変更部それぞれは、前記入射面にから遠ざかるに従って前記第１主面に接近する第１斜面と、前記第１斜面に連接し前記入射面にから遠ざかるに従って前記第１主面から離間する第２斜面とを持つ凹状体であること
を特徴とする請求項１ないし請求項６のいずれか１項に記載の導光板。
【請求項８】
請求項１ないし請求項７のいずれか１項に記載の導光板を備えること
を特徴とする照明装置。
【請求項９】
請求項１ないし請求項７のいずれか１項に記載の導光板と、
前記複数の領域に対応するように前記入射面を複数に分割した複数の入射面領域それぞれに対応して設けられ、出射光を、前記出射光の特性を前記入射面領域ごとに変更可能に出射できる複数の光源部とを備えること
を特徴とする照明装置。
【請求項１０】
前記第１主面側に配置された拡散板をさらに備え、
前記拡散板は、前記少なくとも２つの領域では、互いに拡散度が異なること
を特徴とする請求項８または請求項９に記載の照明装置。
【請求項１１】
前記第２主面側に配置された反射板、拡散板、または、反射拡散板をさらに備え、
前記反射板、拡散板、または、反射拡散板は、前記少なくとも２つの領域では、互いに、反射率、拡散度、または、反射率および拡散度のうちのいずれか一方、が異なること
を特徴とする請求項８ないし請求項１０のいずれか１項に記載の照明装置。
【発明の詳細な説明】
【技術分野】
【０００１】
本発明は、入射面から入射された入射光を導光して出射面から出射する導光板および前記導光板を用いた照明装置に関する。
【背景技術】
【０００２】
照明装置は、広く普及し、その１つに、照明装置から射出される照明光の照度分布を変更できる照明装置が知られている。このような照明装置は、例えば、特許文献１および特許文献２に開示されている。
【０００３】
この特許文献１に開示された照明装置は、光源と、透光性の材料で形成された筒形状を有し、前記光源を覆うように回転可能に設けられ、少なくとも周方向で屈折率が異なるカバーと、前記カバーを回転させる駆動部と、を備えている。このような構成の照明装置は、前記特許文献１によれば、光源自体の光量を変化させることなく、周方向で屈折率の異なるカバーを回転させることによって、周囲の光量を変化させて光のゆらぎを表現できる。
【０００４】
前記特許文献２に開示された照明装置は、光色・配光可変用光源と、照明用光源と、前記光色・配光可変用光源からの光の放射状態と前記照明用光源からの光の放射状態を制御する制御装置とを備え、照射される光の光度、配光、色温度を種々変化可能としたものである。このような構成の照明装置は、前記特許文献２によれば、光の光度、配光、色温度の条件を簡便かつ安価に変化させることができる。
【先行技術文献】
【特許文献】
【０００５】
【特許文献１】特開２００９−２５２６９３号公報
【特許文献２】特開平９−３０４１８３号公報
【発明の概要】
【発明が解決しようとする課題】
【０００６】
ところで、前記特許文献１に開示された照明装置は、前記カバーを回転させる駆動部を必要としている。このため、前記駆動部を構成するために、前記特許文献１に開示された照明装置は、複数種の部品を必要とし、複雑で動的な機械構造も必要となってしまう。また、動的な機械構造は、故障の原因になり得、また、照明装置を大型化してしまう。
【０００７】
また、前記特許文献２に開示された照明装置は、配光を種々変化させるために、光色・配光可変用光源と照明用光源との２種類の光源を必要とし、そのため、複雑な構造になってしまい、また、大型化してしまう。
【０００８】
本発明は、上述の事情に鑑みて為された発明であり、その目的は、比較的簡易な構成で小型化でき、自機１つによって複数の配光分布を実現できる導光板および照明装置を提供することである。
【課題を解決するための手段】
【０００９】
本発明者は、種々検討した結果、上記目的は、以下の本発明により達成されることを見出した。すなわち、本発明の一態様にかかる導光板は、光を入射するための入射面と、互いに対向する第１および第２主面と、前記第１および第２主面のうちの少なくとも一方であって複数に分割した複数の領域それぞれに設けられ、光の進行方向を変える複数の光路変更部とを備え、前記複数の光路変更部は、少なくとも２つの領域で互いに異なることを特徴とする。
【００１０】
このような導光板は、複数の光路変更部を備え、前記複数の光路変更部は、少なくとも２つの領域で互いに異なっている。このため、入射面から入射した光は、前記少なくとも２つの領域それぞれにおいて、互いに異なる光路変更部それぞれによって互いに異なった状態でそれぞれ進行するようになる。したがって、上記導光板は、１つの領域で１つの配光分布（配光機能）を実現でき、自機１つによって複数の配光分布を実現できる。そして、その実現には、複数の光路変更部を設けるという比較的簡単な構成で達成されており、したがって、小型化も可能である。
【００１１】
また、他の一態様では、上述の導光板において、前記少なくとも２つの領域で互いに異なる前記複数の光路変更部は、形状および拡散度のうちの少なくとも一方が異なることを特徴とする。
【００１２】
このような導光板は、光路変更部における形状および拡散度のうちの少なくとも一方を異ならせるので、前記配光分布を比較的細かく制御でき、また、拡散度を適宜に設計することによって、導光板の出射面の美観も向上できる。
【００１３】
また、他の一態様では、上述の導光板において、前記少なくとも２つの領域で互いに異なる前記複数の光路変更部は、最大強度の出射角度が異なるように、前記形状および拡散度のうちの少なくとも一方が異なることを特徴とする。
【００１４】
このような導光板は、最大強度の出射角度（主照明方向）を規定できる。
【００１５】
また、他の一態様では、これら上述の導光板において、前記少なくとも２つの領域で互いに異なる前記複数の光路変更部は、所定の閾値以上である出射強度の幅が異なるように、前記形状および拡散度のうちの少なくとも一方が異なることを特徴とする。
【００１６】
このような導光板は、所定の閾値以上である出射強度の幅（照明幅）を規定できる。
【００１７】
また、他の一態様では、これら上述の導光板において、前記少なくとも２つの領域で互いに異なる前記複数の光路変更部は、中央位置に近い領域から出射される第１光束における最大強度の第１出射角度が前記中央位置から遠い第２領域の第２光束における最大強度の第２出射角度より大きく、かつ、前記第１光束における強度の半値幅が前記第２光束における強度の半値幅より小さくなるように、前記形状および拡散度のうちの少なくとも一方が異なることを特徴とする。
【００１８】
このような導光板は、いわゆるｃｏｓ２の原理を考慮することで、効率よく所望の配光分布を実現できる。
【００１９】
また、他の一態様では、これら上述の導光板において、前記入射面は、凹凸形状の凹凸部を備えることを特徴とする。
【００２０】
このような導光板は、入射面に凹凸形状の凹凸部を備えることによって入射面でも入射光を制御できるので、配光分布を制御する上で、光路変更部に加えて入射面の前記凹凸構造も設計対象にできるから、設計対象の自由度が増え、配光分布の制御がより容易になる。また、上記導光板は、入射面の前記凹凸構造によって入射光を拡散できるので、導光板の出射面の美観も向上できる。
【００２１】
また、他の一態様では、これら上述の導光板において、前記入射面は、前記第１および第２主面それぞれに対する側面であり、前記複数の光路変更部は、前記第２主面に設けられ、前記複数の光路変更部それぞれは、前記入射面にから遠ざかるに従って前記第１主面に接近する第１斜面と、前記第１斜面に連接し前記入射面にから遠ざかるに従って前記第１主面から離間する第２斜面とを持つ凹状体であることを特徴とする。
【００２２】
このような導光板は、凹状体で光路変更部を形成できるので、設計がし易く、そして、製造もし易い。
【００２３】
そして、本発明の他の一態様にかかる照明装置は、これら上述のいずれかの導光板を備える。
【００２４】
このような照明装置は、これら上述のいずれかの導光板を備えるので、比較的簡易な構成で小型化でき、自機１つによって複数の配光分布を実現できる。したがって、上記照明装置は、例えば、照射位置を変更できるタスクライトを実現できる。
【００２５】
また、本発明の他の一態様にかかる照明装置は、これら上述のいずれかの導光板と、前記複数の領域に対応するように前記入射面を複数に分割した複数の入射面領域それぞれに対応して設けられ、出射光を、前記出射光の特性を前記入射面領域ごとに変更可能に出射できる複数の光源部とを備えることを特徴とする。
【００２６】
このような照明装置は、これら上述のいずれかの導光板を備えるので、比較的簡易な構成で小型化でき、自機１つによって複数の配光分布を実現できる。したがって、上記照明装置は、例えば、照射位置を変更できるタスクライトを実現できる。そして、上記照明装置は、出射光の特性、例えば、強度（点灯、消灯を含む）、発光色および色温度等を、入射面領域ごとに変更するという比較的簡易な手法によって、前記複数の配光分布を実現できる。
【００２７】
また、他の一態様では、これら上述の照明装置において、前記第１主面側に配置された拡散板をさらに備え、前記拡散板は、前記少なくとも２つの領域では、互いに拡散度が異なることを特徴とする。
【００２８】
このような照明装置は、拡散板をさらに備えるので、拡散板を介して当該導光板から出射された出射光の照射面での照度分布をより均一にできる。
【００２９】
また、他の一態様では、これら上述の照明装置において、前記第２主面側に配置された反射板、拡散板、または、反射拡散板をさらに備え、前記反射板、拡散板、または、反射拡散板は、前記少なくとも２つの領域では、互いに、反射率、拡散度、または、反射率および拡散度のうちのいずれか一方、が異なることを特徴とする。
【００３０】
このような照明装置は、前記反射板をさらに備える場合には、反射することで、出射効率を向上できる。ここで、前記出射効率は、入射面から入射された入射光の強度（総エネルギー）に対する出射面から出射された出射光の強度（総エネルギー）の割合である（出射効率＝出射光の強度／入射光の強度）。また、上記照明装置は、前記拡散板をさらに備える場合には、拡散することで、導光板の出射面の美観も向上できる。また、上記照明装置は、前記反射拡散板をさらに備える場合には、拡散反射することで、出射効率の向上を図ることでき、そして、導光板の出射面の美観も向上できる。
【発明の効果】
【００３１】
本発明にかかる導光板およびこれを用いた照明装置は、比較的簡易な構成で小型化でき、自機１つによって複数の配光分布を実現できる。
【図面の簡単な説明】
【００３２】
【図１】第１実施形態における照明装置の構成を示す側面図である。
【図２】第１実施形態の照明装置における導光板の構成を主に示す図である。
【図３】第２実施形態の照明装置における導光板の構成を主に示す図である。
【図４】照度分布を測定するための測定系を説明するための図である。
【図５】出射角度強度分布の角度の定義を説明するための図である。
【図６】第１領域に対応する光源を点灯させた場合において、第２実施形態の照明装置における出射角度強度分布を示す図である。
【図７】第１領域に対応する光源を点灯させた場合において、第２実施形態の照明装置における照度分布を示す図である。
【図８】第２領域に対応する光源を点灯させた場合において、第２実施形態の照明装置における出射角度強度分布を示す図である。
【図９】第２領域に対応する光源を点灯させた場合において、第２実施形態の照明装置における照度分布を示す図である。
【図１０】第１領域に対応する光源を点灯させた場合において、第３実施形態の照明装置における出射角度強度分布を示す図である。
【図１１】第１領域に対応する光源を点灯させた場合において、第３実施形態の照明装置における照度分布を示す図である。
【図１２】第２領域に対応する光源を点灯させた場合において、第３実施形態の照明装置における出射角度強度分布を示す図である。
【図１３】第２領域に対応する光源を点灯させた場合において、第３実施形態の照明装置における照度分布を示す図である。
【図１４】第４実施形態の照明装置における導光板の構成を主に示す図である。
【図１５】第１および第５領域に対応する光源を点灯させた場合において、第４実施形態の照明装置における出射角度強度分布を示す図である。
【図１６】第１および第５領域に対応する光源を点灯させた場合において、第４実施形態の照明装置における照度分布を示す図である。
【図１７】第２および第４領域に対応する光源を点灯させた場合において、第４実施形態の照明装置における出射角度強度分布を示す図である。
【図１８】第２および第４領域に対応する光源を点灯させた場合において、第４実施形態の照明装置における照度分布を示す図である。
【図１９】第３領域に対応する光源を点灯させた場合において、第４実施形態の照明装置における出射角度強度分布を示す図である。
【図２０】第３領域に対応する光源を点灯させた場合において、第４実施形態の照明装置における照度分布を示す図である。
【図２１】第５実施形態の照明装置における導光板の構成を主に示す図である。
【図２２】第１および第５領域に対応する光源を点灯させた場合において、第５実施形態の照明装置における出射角度強度分布を示す図である。
【図２３】第１および第５領域に対応する光源を点灯させた場合において、第５実施形態の照明装置における照度分布を示す図である。
【図２４】第２および第４領域に対応する光源を点灯させた場合において、第５実施形態の照明装置における出射角度強度分布を示す図である。
【図２５】第２および第４領域に対応する光源を点灯させた場合において、第５実施形態の照明装置における照度分布を示す図である。
【図２６】第３領域に対応する光源を点灯させた場合において、第５実施形態の照明装置における出射角度強度分布を示す図である。
【図２７】第３領域に対応する光源を点灯させた場合において、第５実施形態の照明装置における照度分布を示す図である。
【図２８】第６実施形態の照明装置における導光板の構成を主に示す図である。
【図２９】第１および第５領域に対応する光源を点灯させた場合において、第６実施形態の照明装置における出射角度強度分布を示す図である。
【図３０】第１および第５領域に対応する光源を点灯させた場合において、第６実施形態の照明装置における照度分布を示す図である。
【図３１】第２および第４領域に対応する光源を点灯させた場合において、第６実施形態の照明装置における出射角度強度分布を示す図である。
【図３２】第２および第４領域に対応する光源を点灯させた場合において、第６実施形態の照明装置における照度分布を示す図である。
【図３３】第３領域に対応する光源を点灯させた場合において、第６実施形態の照明装置における出射角度強度分布を示す図である。
【図３４】第３領域に対応する光源を点灯させた場合において、第６実施形態の照明装置における照度分布を示す図である。
【発明を実施するための形態】
【００３３】
以下、本発明にかかる実施の一形態を図面に基づいて説明する。なお、各図において同一の符号を付した構成は、同一の構成であることを示し、適宜、その説明を省略する。また、本明細書において、総称する場合には添え字を省略した参照符号で示し、個別の構成を指す場合には添え字を付した参照符号で示す。
【００３４】
本実施形態における照明装置Ｄは、所定の照射面を所定の照度分布で照明する装置である。そして、本実施形態における照明装置Ｄは、自機１つによって複数の配光分布を実現でき、したがって、複数の照度分布を実現できる装置である。以下、このような照明装置Ｄの各実施形態およびその一実施例を順に説明する。
【００３５】
（第１実施形態）
図１は、第１実施形態における照明装置の構成を示す側面図である。図２は、第１実施形態の照明装置における導光板の構成を主に示す図である。図２（Ａ）は、主に導光板１ａの構成を示す正面図であり、図２（Ｂ）は、導光板１ａの側面図（左側面図）である。なお、図２（Ａ）には、複数の光源部２（２−１〜２−１８）および点消灯制御部５も模式的にあるいはブロック図で図示されている。
【００３６】
第１実施形態における照明装置Ｄａは、例えば、図１および図２に示すように、導光板１ａと、複数の光源部２と、拡散板（拡散シート）３と、反射板（反射シート）４ａと、点消灯制御部５とを備える。
【００３７】
導光板１ａは、所定の面から入射された光を導光し、前記導光した光を所定の他の面から出射する光学部品である。このような導光板１ａは、例えば、図１および図２に示すように、入射面ＳＦｉｎと、第１および第２主面ＳＦ１、ＳＦ２と、複数の光路変更部１１ａとを備える。より具体的には、導光板１ａは、図１および図２に示す例では、大略、一方向に沿って長尺な厚さの比較的薄い直方体の板状体である。導光板１ａは、少なくとも導光すべき光の波長帯に対し、透光性を有する材料から形成される。
【００３８】
入射面ＳＦｉｎは、導光すべき光を入射するための面である。本実施形態では、第１および第２主面ＳＦ１、ＳＦ２それぞれに対する側面が入射面ＳＦｉｎとなっている。図１および図２に示す例では、前記板状体の一側面が入射面ＳＦｉｎとなっている。なお、第１および第２主面ＳＦ１、ＳＦ２の少なくとも一方の一部分に入射面が設けられ、光が前記入射面に対し斜めに入射されても良い。
【００３９】
第１および第２主面ＳＦ１、ＳＦ２は、互いに対向する面である。図１および図２に示す例では、前記板状体の一方主面、例えば、図１および図２の紙面下側の下面が第１主面ＳＦ１となっており、前記板状体の他方主面、例えば、図１および図２の紙面上側の上面が第２主面ＳＦ２となっている。
【００４０】
複数の光路変更部１１ａは、光の進行方向を変えるものであり、第１および第２主面ＳＦ１、ＳＦ２のうちの少なくとも一方に設けられている。そして、この複数の光路変更部１１ａが設けられる主面は、複数の領域ＡＲに分割され、複数の光路変更部１１ａは、この複数に分割した複数の領域ＡＲそれぞれに設けられている。そして、これら複数の光路変更部１１ａは、例えばその形状や拡散度等が異なることによって光の進行方向を変えるための光に対する作用が少なくとも２つの領域で互いに異なる。
【００４１】
図１および図２に示す例では、複数の光路変更部１１ａは、３個の第１ないし第３光路変更部１１１ａ、１１２ａ、１１３ａを備え、複数の領域ＡＲは、これに対応して３個の第１ないし第３領域ＡＲ１、ＡＲ２、ＡＲ３を備える。第１光路変更部１１１ａは、第１領域ＡＲ１に設けられ、第２光路変更部１１２ａは、第２領域ＡＲ２に設けられ、そして、第３光路変更部１１３ａは、第３領域ＡＲ３に設けられている。すなわち、第１光路変更部１１１ａの長尺方向に沿って一方に隣接する位置には、第２光路変更部１１２ａが設けられ、この第２光路変更部１１２ａの前記長尺方向に沿って一方に隣接する位置には、第３光路変更部１１３ａが設けられている。したがって、第２光路変更部１１２ａは、第１および第３光路変更部１１３ａの間に設けられている。これら第１ないし第３光路変更部１１１ａ〜１１３ａは、図１および図２に示す例では、第２主面ＳＦ２上に形成されている。そして、第１ないし第３光路変更部１１１ａ〜１１３ａそれぞれは、前記長尺方向に沿って直線的に延びるとともに前記長尺方向に直交する短尺方向に互いに平行となるように所定の間隔（ピッチ）で並設された断面Ｖ字状の複数のＶ条溝である。このＶ条溝は、凹状体の一例である。第１および第３光路変更部１１１ａ、１１３ａにおける各Ｖ条溝は、その最深部の深さが第２光路変更部１１２ａにおける各Ｖ条溝の最深部の深さより深くなるように、そして、第１ないし第３光路変更部１１１ａ〜１１３ａの各ピッチが互いに等しくなるように、形成されている。そして、この例では、第１および第３光路変更部１１１ａ、１１３ａは、互いに同じであり、第１および第３光路変更部１１１ａ、１１３ａは、第２光路変更部１１２ａと異なる。
【００４２】
より具体的には、第１ないし第３光路変更部１１１ａ〜１１３ａそれぞれにおける各Ｖ状溝は、それぞれ、入射面ＳＦｉｎから遠ざかるに従って第１主面ＳＦ１に接近する第１斜面ＳＳ１と、第１斜面ＳＳ１に連接し入射面ＳＦｉｎにから遠ざかるに従って第１主面ＳＦ１から離間する第２斜面ＳＳ２とを持ち、その最深部に対し非対称な凹条体である。すなわち、第１斜面ＳＳ１は、一側面の入射面ＳＦｉｎからこれに対向する他の側面へ向かうに従って第２主面ＳＦ２から離間するように形成され、第２斜面ＳＳ２は、一側面の入射面ＳＦｉｎからこれに対向する他の側面へ向かうに従って第２主面ＳＦ２に接近するように形成されている。第２主面ＳＦ２と第１斜面ＳＳ１とのなす角度は、第２主面ＳＦ２と第２斜面ＳＳ２とのなす角度より小さい。すなわち、第１斜面ＳＳ１は、第２斜面ＳＳ２に較べて緩やかに傾斜している。したがって、第１斜面ＳＳ１のその傾斜方向（第１傾斜方向）の長さは、第２斜面ＳＳ２のその傾斜方向（第２傾斜方向）の長さよりも長い。そして、上述したように、この例では、第１および第３光路変更部１１１ａ、１１３ａにおける各Ｖ条溝の最深部の深さは、第２光路変更部１１２ａにおける各Ｖ条溝の最深部の深さより深く、第１ないし第３光路変更部１１１ａ〜１１３ａにおける各Ｖ条溝の各ピッチは、互いに等しいので、第１および第３光路変更部１１１ａ、１１３ａにおける第２主面ＳＦ２と第１斜面ＳＳ１とのなす角度は、第２光路変更部１１２ａにおける第２主面ＳＦ２と第１斜面ＳＳ１とのなす角度より大きい。そして、第１ないし第３光路変更部１１１ａ〜１１３ａにおける各第１斜面ＳＳ１および各第２斜面ＳＳ２は、互いに同じ拡散度になるように、形成されている。
【００４３】
したがって、第１実施形態の照明装置Ｄａにおける導光板１ａでは、第１および第３光路変更部１１１ａ、１１３ａは、互いに同じ形状および拡散度であり、第２光路変更部１１２ａと異なる形状で同じ拡散度である。
【００４４】
複数の光源部２それぞれは、点消灯制御部５に接続され、点消灯制御部５の制御に従って出射光として所定の特性で光を放射する装置である。複数の光源部２それぞれは、例えば、発光ダイオード（ＬＥＤ）、電球（ランプ）および蛍光灯等を備えて構成される。前記所定の特性には、例えば、強度（点灯、消灯を含む）、発光色（例えば、白色、赤色（Ｒ）、緑色（Ｇ）および青色（Ｂ）等）および色温度（例えば電球色系の３０００Ｋ、白昼色系の５０００Ｋや６５００Ｋ等）等が含まれる。複数の光源部２それぞれは、前記複数の光路変更部１１ａが設けられた前記複数の領域ＡＲに対応するように前記入射面ＳＦｉｎを複数に分割した複数の入射面領域ＡＲｉｎそれぞれに対応して設けられている。そして、複数の光源部２それぞれは、その出射光を、前記出射光の特性を前記入射面領域ＡＲｉｎごとに変更可能に出射できるようになっている。
【００４５】
より具体的には、図１および図２に示す例では、複数の光源部２は、１８個の光源部２−１〜２−１８を備え、これら１８個の光源部２−１〜２−１８それぞれは、所定の色温度で発光する例えば砲弾型の白色ＬＥＤおよびその周辺回路を備えて構成され、これらは、基板６上に配設されている。そして、光源部２−１〜２−１８それぞれは、光を射出する射出面が導光板１ａの入射面ＳＦｉｎに臨むように、導光板１ａに対して配設されている。より詳しくは、導光板１ａの入射面ＳＦｉｎには、凹部が形成されており、各光源部２−１〜２−１８における各白色ＬＥＤの各射出面の各部分が入射面ＳＦｉｎの前記凹部に入り込むように、導光板１ａに対して配設されている。このため、各光源部２−１〜２−１８における各射出面から放射された出射光は、より効率よく、導光板１ａ内に入射できる。また、入射面ＳＦｉｎは、３個の第１ないし第３光路変更部１１１ａ〜１１３ａそれぞれを設けた３個の第１ないし第３領域ＡＲ１〜ＡＲ３に対応して３個の入射面領域ＡＲｉｎ１〜ＡＲｉｎ３に分割されている。これに対応して１８個の光源部２−１〜２−１８は、３個の第１ないし第３グループＧｒ１〜Ｇｒ３に分割されており、紙面左から右へ順に、５個の光源部２−１〜２−５は、第１グループＧｒ１に割り当てられ、８個の光源部２−６〜２−１３は、第２グループＧｒ２に割り当てられ、５個の光源部２−１４〜２−１８は、第３グループＧｒ３に割り当てられている。そして、これら１８個の光源部２−１〜２−１８は、そのグループごとに点消灯制御部５に接続され、グループＧｒごとに点消灯制御部５によって制御される。
【００４６】
拡散板（拡散シート）３は、入射光を拡散して拡散光として射出する板状（シート状）の光学部品である。拡散板３は、導光板１ａの第１主面ＳＦ１側に配設される。より詳しくは、拡散板３は、導光板１ａの第１主面ＳＦ１上に、当接して、あるいは、離間して配設される。
【００４７】
反射板（反射シート）４ａは、入射光を反射する板状（シート状）の光学部品である。反射板４ａは、導光板１ａの第２主面ＳＦ２側に配設される。より詳しくは、反射板４ａは、導光板１ａの第２主面ＳＦ２上に、当接して、あるいは、離間して配設される。
【００４８】
なお、導光板１ａの第２主面ＳＦ２側には、反射板４ａに代え、拡散板（拡散シート）４ｂが配設されてもよく、あるいは、反射拡散板（反射拡散シート）４ｃが配設されてもよい。反射拡散板４ｃは、入射光を拡散して反射する板状（シート状）の光学部品である。後述する各実施形態でも同様である。
【００４９】
点消灯制御部５は、所定の特性で出射光を放射するように複数の光源部２をそれぞれ制御する回路である。点消灯制御部５は、本実施形態では、複数の光源部２を入射面領域ＡＲｉｎごとに、すなわち、グループＧｒごとに制御する。
【００５０】
より具体的には、点消灯制御部５は、例えば、入射面領域ＡＲｉｎの個数（グループＧｒ数）に応じた個数のスイッチを備え、各スイッチのオンオフをそれぞれ制御することで、複数の光源部２を入射面領域ＡＲごと（グループＧｒごと）に制御する。これによって複数の光源部２は、入射面領域ＡＲごと（グループＧｒごと）にその点消灯が制御される。例えば、複数の光源部２それぞれが上述のように白色ＬＥＤを備える場合では、点消灯制御部５によって、複数の光源部２は、入射面領域ＡＲごと（グループＧｒごと）にその点消灯が制御される。また例えば、他の一態様として複数の光源部２それぞれが複数色の光を発光できる例えばフルカラーＬＥＤ等の多色発光ＬＥＤを備える場合には、点消灯制御部５は、複数の光源部２の発光色も制御するように構成され、点消灯制御部５によって、複数の光源部２は、入射面領域ＡＲごと（グループＧｒごと）に、制御された色の光の点消灯が制御される。なお、この場合において、多色発光ＬＥＤに代え、複数の光源部２それぞれは、赤色光を発光する赤色ＬＥＤ、緑色光を発光する緑色ＬＥＤおよび青色光を発光する青色ＬＥＤを備え、点消灯制御部５は、赤色ＬＥＤの点消灯、緑色ＬＥＤの点消灯および青色ＬＥＤの点消灯をそれぞれ制御するように構成されても良い。また例えば、他の一態様として複数の光源部２それぞれが色温度の異なる複数のＬＥＤを備える場合には、点消灯制御部５は、色温度の異なる各ＬＥＤの各点消灯をそれぞれ制御するように構成され、点消灯制御部５によって、複数の光源部２は、入射面領域ＡＲごと（グループＧｒごと）に、制御された色温度の光の点消灯が制御される。なお、これら各場合において、点消灯制御部５は、点消灯の制御や色の制御だけでなく、光の強度を制御する調光制御するように構成されても良い。
【００５１】
このような構成の照明装置Ｄａでは、点消灯制御部５の制御によって、第１および第３グループＧｒ１、Ｇｒ３に属する複数の光源部２−１〜２−５、２−１４〜２−１８が点灯され、第２グループＧｒ２に属する複数の光源部２−６〜２−１３が消灯されると、第１および第３グループＧｒ１、Ｇｒ３に属する複数の光源部２−１〜２−５、２−１４〜２−１８それぞれから放射された各出射光は、導光板１ａにおける入射面ＳＦｉｎの第１および第３入射面領域ＡＲｉｎ１、ＡＲｉｎ３から入射され、導光板１ａ内を導光する。導光板１ａ内を導光すると、前記各出射光は、第１および第３領域ＡＲ１、ＡＲ３に設けられた第１および第３光路変更部１１１ａ、１１３ａによって光路変更され、主に第１主面ＳＦ１から出射する。一方、導光板１ａ内を導光した前記各出射光は、上述のように主に第１主面ＳＦ１から出射するが、第２主面ＳＦ２からも出射する。この第２主面ＳＦ２から出射した各出射光は、反射板４ａに入射し、反射板４ａによって反射され、再び導光板１ａ内に入射し、第１主面ＳＦ１から出射する。そして、これら第１主面ＳＦ１から出射した各出射光は、拡散板３に入射し、拡散板３によって拡散され、拡散板３から第１配光分布で出射し、所定の面に第１照度分布で照明する。
【００５２】
また、点消灯制御部５の制御によって、第２グループＧｒ２に属する複数の光源部２−６〜２−１３が点灯され、第１および第３グループＧｒ１、Ｇｒ３に属する複数の光源部２−１〜２−５、２−１４〜２−１８が消灯されると、第２グループＧｒ２に属する複数の光源部２−６〜２−１３それぞれから放射された各出射光は、導光板１ａにおける入射面ＳＦｉｎの第２入射面領域ＡＲｉｎ２から入射され、導光板１ａ内を導光する。導光板１ａ内を導光すると、前記各出射光は、第２領域ＡＲ２に設けられた第２光路変更部１１２ａによって光路変更され、主に第１主面ＳＦ１から出射する。一方、導光板１ａ内を導光した前記各出射光は、上述のように主に第１主面ＳＦ１から出射するが、第２主面ＳＦ２からも出射する。この第２主面ＳＦ２から出射した各出射光は、反射板４ａに入射し、反射板４ａによって反射され、再び導光板１ａ内に入射し、第１主面ＳＦ１から出射する。そして、これら第１主面ＳＦ１から出射した各出射光は、拡散板３に入射し、拡散板３によって拡散され、拡散板３から第２配光分布で出射し、所定の面に第２照度分布で照明する。
【００５３】
ここで、第１および第３光路変更部１１１ａ、１１３ａと第２光路変更部１１２ａとは、互いに異なるので、第１配光分布と第２配光分布とは、互いに異なり、したがって、第１照度分布と第２照度分布とは、互いに異なるものとなる。
【００５４】
なお、点消灯制御部５によって複数の光源部２−１〜２−１８全てが点灯された場合（全点灯の場合）、照明装置Ｄａは、上記第１および第２配光分布の和の配光分布となり、したがって、第１および第２照度分布の和の照度分布で照明面を照明する。以下に説明する各実施形態でも、全点灯の場合は、同様である。
【００５５】
また、上述では、照明装置Ｄａは、１つの領域ＡＲに対し複数の光源部２を備えるように構成されたが、１つの領域ＡＲに対し１つの光源部２を備えるように構成されても良い。また、上述では、照明装置Ｄａは、１つのグループＧｒに属する全ての光源部２を一括に点消灯するように制御したが、１つのグループＧｒに属する複数の光源部２それぞれを個別に点消灯するように制御してもよい。以下に説明する各実施形態でも、同様である。
【００５６】
以上説明したように、第１実施形態における照明装置Ｄａおよびこれに用いられた導光板１ａは、複数の光路変更部１１ａを備え、これら複数の光路変更部１１ａは、少なくとも２つの領域ＡＲで互いに異なっている。上述の例では、第１および第３領域ＡＲ１、ＡＲ３に設けられた第１および第３光路変更部１１１ａ、１１３ａと第２領域ＡＲ２に設けられた第２光路変更部１１２ａとが互いに異なっている。このため、入射面ＳＦｉｎから入射した光は、前記少なくとも２つの領域ＡＲそれぞれにおいて、互いに異なる光路変更部１１ａそれぞれによって互いに異なった状態でそれぞれ進行するようになる。したがって、第１実施形態における照明装置Ｄａおよびこれに用いられた導光板１ａは、１つの領域ＡＲで１つの配光分布（配光機能）を実現でき、自機１つによって複数の配光分布を実現できる。したがって、第１実施形態における照明装置Ｄａおよびこれに用いられた導光板１ａは、例えば、照射位置を変更できるタスクライトを実現できる。また、上述の通り、自機１つによって複数の配光分布を実現できるので、点消灯する領域を連続的に変化させることによって、第１実施形態における照明装置Ｄａおよびこれに用いられた導光板１ａは、照射面で光が揺らぐ照明も実現できる。そして、その自機１つによって複数の配光分布を実現するためには、複数の光路変更部１１ａを設けるという比較的簡単な構成で達成されており、したがって、小型化も可能である。そして、第１実施形態における照明装置Ｄａおよびこれに用いられた導光板１ａは、Ｖ条溝で各光路変更部１１ａを形成できるので、設計がし易く、そして、製造もし易い。
【００５７】
また、第１実施形態における照明装置Ｄａおよびこれに用いられた導光板１ａは、光路変更部１１ａにおける形状および拡散度のうちの少なくとも一方、上述の例ではそれらの形状を異ならせるので、前記配光分布を比較的細かく制御でき、また、拡散度を適宜に設計することによって、照明装置Ｄａおよびこれに用いられた導光板１ａの出射面の美観も向上できる。
【００５８】
また、第１実施形態における照明装置Ｄａおよびこれに用いられた導光板１ａは、拡散板３を備えるので、拡散板３を介して当該導光板１ａから出射された出射光の照射面での照度分布をより均一にできる。
【００５９】
また、第１実施形態における照明装置Ｄａおよびこれに用いられた導光板１ａは、反射板４ａを備えるので、反射することで、出射効率を向上できる。ここで、前記出射効率は、入射面から入射された入射光の強度（総エネルギー）に対する出射面から出射された出射光の強度（総エネルギー）の割合である（出射効率＝出射光の強度／入射光の強度）。
【００６０】
なお、反射板４ａに代え、拡散板４ｂを備える場合には、第１実施形態における照明装置Ｄａおよびこれに用いられた導光板１ａは、拡散することで、照明装置Ｄａおよびこれに用いられた導光板１ａの出射面の美観も向上できる。また、反射板４ａに代え、反射拡散板４ｃを備える場合には、第１実施形態における照明装置Ｄａおよびこれに用いられた導光板１ａは、拡散反射することで、出射効率の向上を図ることでき、そして、照明装置Ｄａおよびこれに用いられた導光板１ａの出射面の美観も向上できる。
【００６１】
なお、上述の実施形態において、拡散板３は、光路変更部１１ａの異なる前記少なくとも２つの領域では、互いに拡散度が異なってもよい。このような照明装置Ｄａおよびこれに用いられた導光板１ａは、このような拡散板３をさらに備えるので、拡散板３を介して当該導光板１ａから出射された出射光の照射面での照度分布をより均一にできる。以下に説明する各実施形態でも同様である。
【００６２】
次に、別の実施形態について説明する。
【００６３】
（第２実施形態）
図３は、第２実施形態の照明装置における導光板の構成を主に示す図である。図３（Ａ）は、主に導光板１ｂの構成を示す正面図であり、図３（Ｂ）は、導光板１ｂにおける第１領域ＡＲ１１での断面図であり、図３（Ｃ）は、導光板１ｂにおける第２領域ＡＲ１２での断面図である。なお、図３（Ａ）には、複数の光源部２（２−１〜２−１８）も模式的に図示されている。
【００６４】
第１実施形態における照明装置Ｄａは、導光板１ａの第２主面ＳＦ２を３個の第１ないし第３領域ＡＲ１〜ＡＲ３に分割し、そのそれぞれに第１ないし第３光路変更部１１１ａ〜１１３ａを設けたが、第２実施形態における照明装置Ｄｂは、導光板１ｂの第２主面ＳＦ２を２個の第１および第２領域ＡＲ１１、ＡＲ１２に分割し、そのそれぞれに第１および第２光路変更部１１１ｂ、１１２ｂを設けた装置である。
【００６５】
このような第２実施形態における照明装置Ｄｂは、第１実施形態における照明装置Ｄａに類似し、例えば、導光板１ｂと、複数の光源部２と、拡散板（拡散シート）３と、反射板（反射シート）４ａと、点消灯制御部５とを備える。これら第２実施形態の照明装置Ｄｂにおける複数の光源部２、拡散板３、反射板４ａおよび点消灯制御部５は、それぞれ、第１実施形態の照明装置Ｄａにおける複数の光源部２、拡散板３、反射板４ａおよび点消灯制御部５と同様であるので、その説明を省略する。したがって、第２実施形態における照明装置Ｄｂは、第１実施形態における照明装置Ｄａにおいて、導光板１ａに代え導光板１ｂを備え、これに応じて複数の光源部２−１〜２−１８のグループＧｒ分けを変更し、この変更したグループＧｒごとに複数の光源部２−１〜２−１８を点消灯制御部５によって制御するものである。
【００６６】
導光板１ｂは、導光板１ａに類似し、所定の面から入射された光を導光し、前記導光した光を所定の他の面から出射する光学部品である。このような導光板１ｂは、例えば、図３に示すように、入射面ＳＦｉｎと、第１および第２主面ＳＦ１、ＳＦ２と、複数の光路変更部１１ｂとを備える。より具体的には、導光板１ｂは、図３に示す例では、大略、一方向に沿って長尺な厚さの比較的薄い直方体の板状体であり、少なくとも導光すべき光の波長帯に対し、透光性を有する材料から形成される。第２実施形態の導光板１ｂにおける入射面ＳＦｉｎ、第１主面ＳＦ１および第２主面ＳＦ２は、それぞれ、光路変更部１１ｂの点を除き、第１実施形態の導光板１ａにおける入射面ＳＦｉｎ、第１主面ＳＦ１および第２主面ＳＦ２と同様であるので、その説明を省略する。
【００６７】
複数の光路変更部１１ｂは、光の進行方向を変えるものであり、少なくとも２つの領域ＡＲで互いに異なる。そして、この少なくとも２つの領域ＡＲで互いに異なる前記複数の光路変更部１１ｂは、最大強度の出射角度が異なるように、その形状および拡散度のうちの少なくとも一方が異なっている。図３に示す例では、第２主面ＳＦ２上に形成された２個の第１および第２光路変更部１１１ｂ、１１２ｂを備え、複数の領域ＡＲは、これに対応して２個の第１および第２領域ＡＲ１１、ＡＲ１２を備える。第１光路変更部１１１ｂは、第１領域ＡＲ１１に設けられ、第２光路変更部１１２ｂは、第２領域ＡＲ１２に設けられている。すなわち、第１光路変更部１１１ｂの長尺方向に沿って隣接する位置には、第２光路変更部１１２ｂが設けられている。そして、第１および第２光路変更部１１１ｂ、１１２ｂそれぞれは、前記長尺方向に沿って直線的に延びるとともに前記長尺方向に直交する短尺方向に互いに平行となるように所定のピッチで並設された断面Ｖ字状の複数のＶ条溝である。これら第１および第２光路変更部１１１ｂ、１１２ｂにおける各Ｖ条溝は、第１実施形態の第１ないし第３光路変更部１１１ａ〜１１３ａにおける各Ｖ条溝と同様である。第１光路変更部１１１ｂにおける各Ｖ条溝は、その最深部の深さが第２光路変更部１１２ｂにおける各Ｖ条溝の最深部の深さより深くなるように、そして、第１および第２光路変更部１１１ｂ、１１２ｂの各ピッチが互いに等しくなるように、形成されている。したがって、この例では、第１光路変更部１１１ｂは、第２光路変更部１１２ｂと異なる。また、第１および第２光路変更部１１１ｂ、１１２ｂにおける各第１斜面ＳＳ１および各第２斜面ＳＳ２は、互いに同じ拡散度になるように、形成されている。
【００６８】
したがって、第２実施形態の照明装置Ｄｂにおける導光板１ｂでは、第１光路変更部１１１ｂは、第２光路変更部１１２ｂと異なる形状で同じ拡散度である。
【００６９】
なお、この第２実施形態では、上述の導光板１ｂに対応するように、入射面ＳＦｉｎは、２個の第１および第２光路変更部１１１ｂ、１１２ｂそれぞれを設けた２個の第１および第２領域ＡＲ１１、ＡＲ１２に対応して２個の入射面領域ＡＲｉｎ１１、ＡＲｉｎ１２に分割されている。これに対応して１８個の光源部２−１〜２−１８は、２個の第１および第２グループＧｒ１１、Ｇｒ１２に分割されており、紙面左から右へ順に、９個の光源部２−１〜２−９は、第１グループＧｒ１１に割り当てられ、９個の光源部２−１０〜２−１８は、第２グループＧｒ１２に割り当てられている。そして、これら１８個の光源部２−１〜２−１８は、そのグループＧｒごとに点消灯制御部５に接続され、グループＧｒごとに点消灯制御部５によって制御される。
【００７０】
このような構成の照明装置Ｄｂでは、点消灯制御部５の制御によって、第１グループＧｒ１１に属する複数の光源部２−１〜２−９が点灯され、第２グループＧｒ１２に属する複数の光源部２−１０〜２−１８が消灯されると、第１グループＧｒ１１に属する複数の光源部２−１〜２−９それぞれから放射された各出射光は、導光板１ｂにおける入射面ＳＦｉｎの第１入射面領域ＡＲｉｎ１１から入射され、導光板１ｂ内を導光し、第１実施形態と同様に作用し、拡散板３から第３配光分布で出射し、所定の面に第３照度分布で照明する。
【００７１】
また、点消灯制御部５の制御によって、第２グループＧｒ１２に属する複数の光源部２−１０〜２−１８が点灯され、第１グループＧｒ１１に属する複数の光源部２−１〜２−９が消灯されると、第２グループＧｒ１２に属する複数の光源部２−１０〜２−１８それぞれから放射された各出射光は、導光板１ｂにおける入射面ＳＦｉｎの第２入射面領域ＡＲｉｎ１２から入射され、導光板１ｂ内を導光し、第１実施形態と同様に作用し、拡散板３から第４配光分布で出射し、所定の面に第４照度分布で照明する。
【００７２】
ここで、第１光路変更部１１１ｂと第２光路変更部１１２ｂとは、互いに異なるので、第３配光分布と第４配光分布とは、互いに異なり、したがって、第３照度分布と第４照度分布とは、互いに異なるものとなる。
【００７３】
第２実施形態の一実施例では、次に示す第３および第４配光分布、ならびに、第３および第４照度分布となっている。
【００７４】
図４は、照度分布を測定するための測定系を説明するための図である。図４（Ａ）は、側面図であり、図４（Ｂ）は、上面図である。図５は、出射角度強度分布の角度の定義を説明するための図である。図５（Ａ）は、ＺＹ断面における第１角度強度方向を示し、図５（Ｂ）は、ＺＸ断面における第２角度強度方向を示す。図６は、第１領域に対応する光源を点灯させた場合において、第２実施形態の照明装置における出射角度強度分布を示す図である。図７は、第１領域に対応する光源を点灯させた場合において、第２実施形態の照明装置における照度分布を示す図である。図８は、第２領域に対応する光源を点灯させた場合において、第２実施形態の照明装置における出射角度強度分布を示す図である。図９は、第２領域に対応する光源を点灯させた場合において、第２実施形態の照明装置における照度分布を示す図である。図６および図８における各横軸は、度単位で示す角度であり、これら各縦軸は、ｃｄ（カンデラ）単位で示す出射光強度である。図７および図９において、紙面下側に図示されたグラフの各横軸は、後述するように評価面に設定されたＸＹＺ直交座標系におけるＸ軸であり、これら各縦軸は、照度であり、紙面右側に図示されたグラフの各横軸は、照度であり、これらの各縦軸は、後述するように評価面に設定されたＸＹＺ直交座標系におけるＹ軸である。
【００７５】
この一実施例では、導光板１ｂは、長尺方向の長さが２５０ｍｍであり、短尺方向の長さが５６ｍｍであり、厚さが１３ｍｍである。第１光路変更部１１１ｂは、第２主面ＳＦ２と第１斜面ＳＳ１とのなす角度が３０度であり、第２主面ＳＦ２と第２斜面ＳＳ２とのなす角度が６０度であり、その頂角が９０度であるように形成された複数のＶ条溝であり、第２光路変更部１１２ｂは、第２主面ＳＦ２と第１斜面ＳＳ１とのなす角度が１０度であり、第２主面ＳＦ２と第２斜面ＳＳ２とのなす角度が８０度であり、その頂角が９０度であるように形成された複数のＶ条溝である。そして、第１および第２光路変更部１１１ｂの各拡散度は、それぞれ、第１および第２斜面ＳＳ１、ＳＳ２が表面粗さＲａ０．０２５以下の鏡面である。拡散板３の拡散度は、ガウス分布で表現されるσ２となっている。また、第１領域ＡＲ１１と第２領域ＡＲ１２とは、互いに同じ面積である。
【００７６】
このような寸法の導光板１ｂを用いた照明装置Ｄｂが所定の評価面（照明装置Ｄｂの照明面）に対し配置され、照度分布が評価された。前記評価面は、高さ方向をＺとしたＸＹＺ直交座標系を設定した場合、図４（Ｂ）に示すように、Ｘ方向に沿った長さが４０００ｍｍであり、Ｙ方向に沿った長さが２０００ｍｍである。なお、前記ＸＹＺ直交座標系の原点は、前記評価面の中央位置である。このような評価面に対し、導光板１ｂを用いた照明装置Ｄｂは、図４（Ａ）および図４（Ｂ）に示すように、その導光板１ｂがその長尺方向をＸ軸方向に沿うように、（０、−１０００、４００）の座標位置に配置された。すなわち、評価面のＸ軸方向における中央の位置（Ｘ＝０）であって、評価面のＹ軸方向における一方端の位置（Ｙ＝−１０００ｍｍ）であって、そして、高さ４００ｍｍの位置（Ｚ＝４００ｍｍ）に、導光板１ｂの長尺方向の中央位置が一致するように、照明装置Ｄｂは、配置された。
【００７７】
このように配置された導光板１ｂを用いた照明装置Ｄｂにおいて、第１領域ＡＲ１１に対応する第１グループＧｒ１１に属する複数の光源部２−１〜２−９を点灯させるとともに、第２領域ＡＲ１２に対応する第２グループＧｒ１２に属する複数の光源部２−１０〜２−１８を消灯させた場合、出射角度強度分布は、図６に示す分布であり、照度分布は、図７に示す分布であった。
【００７８】
ここで、出射強度分布は、出射角度とその強度（光強度）との対応関係であり、出射角度に対する強度を示す。ＺＹ断面における出射角度を第１出射角度とすると、第１出射角度は、図５（Ａ）に示すように、導光板１の第１主面ＳＦ１における法線方向（すなわち、Ｚ軸方向）を基準に、出射光束と前記法線（Ｚ軸）とのなす角度であり、ＺＸ断面における出射角度を第２出射角度とすると、第２出射角度は、図５（Ｂ）に示すように、導光板１の第１主面ＳＦ１における法線方向（すなわち、Ｚ軸方向）を基準に、出射光束と前記法線（Ｚ軸）とのなす角度である。図６には、各第１出射角度における各測定結果が◆で示されており、各第２出射角度における各測定結果が▲で示されている。したがって、図６において、各◆を結んだグラフは、ＺＹ断面での出射角度強度分布（第１方向の強度分布）を示し、各▲を結んだグラフは、ＺＸ断面での出射角度強度分布（第２方向の強度分布）を示す。なお、後述の図８、図１０、図１２、図１５、図１７、図１９、図２２、図２４、図２６、図２９、図３１および図３３も同様である。
【００７９】
また、照度分布は、出射角度とその照度との対応関係であり、出射角度に対する照度を示す。図７の中央には、ＸＹ平面での照度分布がグレースケースで示されており、白くなるほど照度が強く明るいことを示す（黒くなるほど照度が弱く暗いことを示す）。図７の紙面下側に示すグラフは、照度のピーク（最も白い部分）を含むＸ軸方向での照度分布であり、図７の紙面右側に示すグラフは、照度のピークを含むＹ軸方向での照度分布である。図７の中央におけるＸＹ平面での照度分布には、これら各軸方向での各照度分布の各断面線が図示されている。なお、後述の図９、図１１、図１３、図１６、図１８、図２０、図２３、図２５、図２７、図３０、図３２および図３４も同様である。
【００８０】
一方、上述のように配置された導光板１ｂを用いた照明装置Ｄｂにおいて、第２領域ＡＲ１２に対応する第２グループＧｒ１２に属する複数の光源部２−１０〜２−１８を点灯させるとともに、第１領域ＡＲ１１に対応する第１グループＧｒ１１に属する複数の光源部２−１〜２−９を消灯させた場合、出射角度強度分布は、図８に示す分布であり、照度分布は、図９に示す分布であった。
【００８１】
これら図６および図８から分かるように、第１領域ＡＲ１１に対応する第１グループＧｒ１１に属する複数の光源部２−１〜２−９のみを点灯させた場合、出射光束は、３０度方向にピークを持ち、一方、第２領域ＡＲ１２に対応する第２グループＧｒ１２に属する複数の光源部２−１０〜２−１８のみを点灯させた場合、出射光束は、６０度方向にピークを持ち、それぞれ、異なる配光分布が得られている。その結果、図７および図９に示すように、これら各場合における照度分布も異なる。第１領域ＡＲ１１に対応する第１グループＧｒ１１に属する複数の光源部２−１〜２−９のみを点灯させた場合、照明装置Ｄｂは、Ｙ軸方向において、照明装置Ｄｂに相対的に近い位置を照明し、一方、第２領域ＡＲ１２に対応する第２グループＧｒ１２に属する複数の光源部２−１０〜２−１８のみを点灯させた場合、照明装置Ｄｂは、Ｙ軸方向において、照明装置Ｄｂに相対的に遠い位置を照明している。
【００８２】
以上説明したように、第２実施形態における照明装置Ｄｂおよびこれに用いられた導光板１ｂは、第１実施形態における照明装置Ｄａおよびこれに用いられた導光板１ａと同様の作用効果を奏している。
【００８３】
また、第２実施形態における照明装置Ｄｂおよびこれに用いられた導光板１ｂでは、第１および第２光路変更部１１１ｂ、１１２ｂは、最大強度の出射角度が異なるように、その形状および拡散度のうちの少なくとも一方が異なることで、上述では、その形状が異なることで、最大強度の出射角度（主照明方向）を規定できている。
【００８４】
次に、別の実施形態について説明する。
【００８５】
（第３実施形態）
第２実施形態における照明装置Ｄｂは、第１および第２光路変更部１１１ｂ、１１２ｂの各拡散度が互いに同じであったが、第３実施形態における照明装置Ｄｃは、第１および第２光路変更部１１１ｃ、１１２ｃの各拡散度が互いに異なる装置である。
【００８６】
このような第３実施形態における照明装置Ｄｃは、第２実施形態における照明装置Ｄｂに類似し、例えば、導光板１ｃと、複数の光源部２と、拡散板（拡散シート）３と、反射板（反射シート）４ａと、点消灯制御部５とを備える。これら第３実施形態の照明装置Ｄｂにおける複数の光源部２、拡散板３、反射板４ａおよび点消灯制御部５は、それぞれ、第１および第２実施形態の照明装置Ｄａ、Ｄｂにおける複数の光源部２、拡散板３、反射板４ａおよび点消灯制御部５と同様であるので、その説明を省略する。したがって、第３実施形態における照明装置Ｄｃは、第２実施形態における照明装置Ｄｂにおいて、導光板１ｂに代え導光板１ｃを備えるものである。
【００８７】
導光板１ｃは、導光板１ｂに類似し、所定の面から入射された光を導光し、前記導光した光を所定の他の面から出射する光学部品である。このような導光板１ｃは、例えば、入射面ＳＦｉｎと、第１および第２主面ＳＦ１、ＳＦ２と、複数の光路変更部１１ｃとを備える。第３実施形態の導光板１ｃにおける入射面ＳＦｉｎ、第１主面ＳＦ１および第２主面ＳＦ２は、それぞれ、光路変更部１１ｃの点を除き、例えば第２実施形態の導光板１ｂにおける入射面ＳＦｉｎ、第１主面ＳＦ１および第２主面ＳＦ２と同様であるので、その説明を省略する。
【００８８】
複数の光路変更部１１ｃは、例えば複数の光路変更部１１ｂに類似し、光の進行方向を変えるものであり、少なくとも２つの領域ＡＲで互いに異なる。そして、この少なくとも２つの領域ＡＲで互いに異なる前記複数の光路変更部１１ｃは、最大強度の出射角度が異なるように、その形状および拡散度のうちの少なくとも一方が異なっている。さらに、この少なくとも２つの領域ＡＲで互いに異なる前記複数の光路変更部１１ｃは、所定の閾値以上である出射強度の幅が異なるように、その形状および拡散度のうちの少なくとも一方が異なっている。一例では、第２主面ＳＦ２上に形成された２個の第１および第２光路変更部１１１ｃ、１１２ｃを備え、複数の領域ＡＲは、これに対応して２個の第１および第２領域ＡＲ２１、ＡＲ２２を備える。第１光路変更部１１１ｃは、第１領域ＡＲ２１に設けられ、第２光路変更部１１２ｃは、第２領域ＡＲ２２に設けられている。これら第１および第２光路変更部１１１ｃ、１１２ｃは、拡散度の点を除き、第２実施形態における第１および第２光路変更部１１１ｂ、１１２ｂと同様である。すなわち、第２実施形態では、第１光路変更部１１１ｂと第２光路変更部１１２ｂとは、互いに形状が異なり拡散度が同じであったが、第３実施形態では、第１光路変更部１１１ｃと第２光路変更部１１２ｃとは、互いに形状および拡散度が異なるものである。したがって、第３実施形態における第１光路変更部１１１ｃは、第２実施形態における第１光路変更部１１１ｂと同様（形状および拡散度が同じ）であるので、その説明を省略し、第３実施形態における第２光路変更部１１２ｃは、拡散度が異なる点を除き、第２実施形態における第２光路変更部１１２ｂと同様（形状が同じ）であるので、その説明を省略する。第３実施形態における第２光路変更部１１２ｃの拡散度は、第３実施形態における第１光路変更部１１１ｂに較べ、例えば、その表面粗さＲａを変えることで互いに拡散度を異ならせて形成されている。
【００８９】
したがって、第３実施形態の照明装置Ｄｃにおける導光板１ｃでは、第１光路変更部１１１ｃは、第２光路変更部１１２ｃと異なる形状で異なる拡散度である。
【００９０】
なお、この第３実施形態では、上述の導光板１ｃに対応するように、入射面ＳＦｉｎは、２個の第１および第２光路変更部１１１ｃ、１１２ｃそれぞれを設けた２個の第１および第２領域ＡＲ２１、ＡＲ２２に対応して２個の入射面領域ＡＲｉｎ２１、ＡＲｉｎ２２に分割されている。これに対応して１８個の光源部２−１〜２−１８は、２個の第１および第２グループＧｒ２１、Ｇｒ２２に分割されており、紙面左から右へ順に、９個の光源部２−１〜２−９は、第１グループＧｒ２１に割り当てられ、９個の光源部２−１０〜２−１８は、第２グループＧｒ２２に割り当てられている。そして、これら１８個の光源部２−１〜２−１８は、そのグループＧｒごとに点消灯制御部５に接続され、グループＧｒごとに点消灯制御部５によって制御される。
【００９１】
このような構成の照明装置Ｄｃでは、点消灯制御部５の制御によって、第１グループＧｒ２１に属する複数の光源部２−１〜２−９が点灯され、第２グループＧｒ２２に属する複数の光源部２−１０〜２−１８が消灯されると、第１グループＧｒ２１に属する複数の光源部２−１〜２−９それぞれから放射された各出射光は、導光板１ｃにおける入射面ＳＦｉｎの第１入射面領域ＡＲｉｎ２１から入射され、導光板１ｃ内を導光し、第２実施形態と同様に作用し、拡散板３から第５配光分布で出射し、所定の面に第５照度分布で照明する。
【００９２】
また、点消灯制御部５の制御によって、第２グループＧｒ２２に属する複数の光源部２−１０〜２−１８が点灯され、第１グループＧｒ２１に属する複数の光源部２−１〜２−９が消灯されると、第２グループＧｒ２２に属する複数の光源部２−１０〜２−１８それぞれから放射された各出射光は、導光板１ｃにおける入射面ＳＦｉｎの第２入射面領域ＡＲｉｎ２２から入射され、導光板１ｃ内を導光し、第２実施形態と同様に作用し、拡散板３から第６配光分布で出射し、所定の面に第６照度分布で照明する。
【００９３】
ここで、第１光路変更部１１１ｂと第２光路変更部１１２ｂとは、互いに異なるので、第５配光分布と第６配光分布とは、互いに異なり、したがって、第５照度分布と第６照度分布とは、互いに異なるものとなる。
【００９４】
第３実施形態の一実施例では、次に示す第５および第６配光分布、ならびに、第５および第６照度分布となっている。
【００９５】
図１０は、第１領域に対応する光源を点灯させた場合において、第３実施形態の照明装置における出射角度強度分布を示す図である。図１１は、第１領域に対応する光源を点灯させた場合において、第３実施形態の照明装置における照度分布を示す図である。図１２は、第２領域に対応する光源を点灯させた場合において、第３実施形態の照明装置における出射角度強度分布を示す図である。図１３は、第２領域に対応する光源を点灯させた場合において、第３実施形態の照明装置における照度分布を示す図である。図１０および図１２における各横軸は、度単位で示す角度であり、これら各縦軸は、ｃｄ（カンデラ）単位で示す出射光強度である。図１１および図１３において、紙面下側に図示されたグラフの各横軸は、後述するように評価面に設定されたＸＹＺ直交座標系におけるＸ軸であり、これら各縦軸は、照度であり、紙面右側に図示されたグラフの各横軸は、照度であり、これらの各縦軸は、後述するように評価面に設定されたＸＹＺ直交座標系におけるＹ軸である。
【００９６】
この一実施例では、導光板１ｃは、拡散度の点を除き、導光板１ｂと同じ諸元である。第１領域ＡＲ２１に設けられる第１光路変更部１１１ｃの拡散度は、ガウス分布で表現されるσ２であり、第２領域ＡＲ２２に設けられる第２光路変更部１１２ｃの拡散度は、ガウス分布で表現されるσ４である。
【００９７】
このような導光板１ｃを用いた照明装置Ｄｃが、照明装置Ｄｂと同様に、図４に示す上述の所定の評価面（照明装置Ｄｃの照明面）に対し配置され、照度分布が評価された。
【００９８】
第１領域ＡＲ２１に対応する第１グループＧｒ２１に属する複数の光源部２−１〜２−９を点灯させるとともに、第２領域ＡＲ２２に対応する第２グループＧｒ２２に属する複数の光源部２−１０〜２−１８を消灯させた場合、出射角度強度分布は、図１０に示す分布であり、照度分布は、図１１に示す分布であった。
【００９９】
一方、第２領域ＡＲ２２に対応する第２グループＧｒ２２に属する複数の光源部２−１０〜２−１８を点灯させるとともに、第１領域ＡＲ２１に対応する第１グループＧｒ２１に属する複数の光源部２−１〜２−９を消灯させた場合、出射角度強度分布は、図１２に示す分布であり、照度分布は、図１３に示す分布であった。
【０１００】
これら図１０および図１２から分かるように、第１領域ＡＲ２１に対応する第１グループＧｒ２１に属する複数の光源部２−１〜２−９のみを点灯させた場合、出射光束は、３０度方向にピークを持ち、一方、第２領域ＡＲ２２に対応する第２グループＧｒ２２に属する複数の光源部２−１０〜２−１８のみを点灯させた場合、出射光束は、６０度方向にピークを持ち、それぞれ、異なる配光分布が得られている。その結果、図１１および図１３に示すように、これら各場合における照度分布も異なる。第１領域ＡＲ２１に対応する第１グループＧｒ２１に属する複数の光源部２−１〜２−９のみを点灯させた場合、照明装置Ｄｃは、Ｙ軸方向において、照明装置Ｄｃに相対的に近い位置を照明し、一方、第２領域ＡＲ２２に対応する第２グループＧｒ２２に属する複数の光源部２−１０〜２−１８のみを点灯させた場合、照明装置Ｄｃは、Ｙ軸方向において、照明装置Ｄｃに相対的に遠い位置を照明している。
【０１０１】
そして、第２実施形態と比較すると、第１領域ＡＲ２１に対応する第１グループＧｒ２１に属する複数の光源部２−１〜２−９のみを点灯させた場合では、図６および図１０から分かるように、出射角度強度分布は、ＺＹ断面およびＺＸ断面ともに滑らかに、そして、０度付近にも光が出射している。また、拡散させたことによって、ＺＸ断面では、所定の閾値以上である出射強度の幅がより広くなっており、照明装置Ｄｃは、より広い範囲で照明できている。
【０１０２】
また、第２実施形態と比較すると、第２領域ＡＲ２２に対応する第２グループＧｒ２２に属する複数の光源部２−１０〜２−１８のみを点灯させた場合では、図８および図１２から分かるように、同様に、出射角度強度分布は、ＺＹ断面およびＺＸ断面ともに滑らかに、そして、０度付近にも光が出射している。また、拡散させたことによって、ＺＸ断面では、所定の閾値以上である出射強度の幅がより広くなっており、照明装置Ｄｃは、より広い範囲で照明できている。
【０１０３】
以上説明したように、第３実施形態における照明装置Ｄｃおよびこれに用いられた導光板１ｃは、第１実施形態における照明装置Ｄａおよびこれに用いられた導光板１ａと同様の作用効果を奏している。
【０１０４】
また、第３実施形態における照明装置Ｄｃおよびこれに用いられた導光板１ｃでは、第１および第２光路変更部１１１ｃ、１１２ｃは、最大強度の出射角度が異なるように、その形状および拡散度のうちの少なくとも一方が異なることで、上述では、その形状が異なることで、最大強度の出射角度（主照明方向）を規定できている。
【０１０５】
また、第３実施形態における照明装置Ｄｃおよびこれに用いられた導光板１ｃでは、第１および第２光路変更部１１１ｃ、１１２ｃは、所定の閾値以上である出射強度の幅が異なるように、その形状および拡散度のうちの少なくとも一方が異なることで、上述では、その拡散度が異なることで、所定の閾値以上である出射強度の幅（照明幅）を規定できている。
【０１０６】
なお、上述では、最大強度の出射角度（主照明方向）は、第１および第２光路変更部１１１ｃ、１１２ｃの形状を異ならせることで、規定したが、それらの拡散度を異ならせることでも、あるいは、それらの形状および拡散度を異ならせることでも、規定できる。
【０１０７】
また、上述では、所定の閾値以上である出射強度の幅（照明幅）は、第１および第２光路変更部１１１ｃ、１１２ｃの拡散度を異ならせることで、規定したが、それらの形状を異ならせることでも、あるいは、それらの形状および拡散度を異ならせることでも、規定できる。
【０１０８】
次に、別の実施形態について説明する。
【０１０９】
（第４実施形態）
図１４は、第４実施形態の照明装置における導光板の構成を主に示す図である。図１４（Ａ）は、主に導光板１ｄの構成を示す正面図であり、図１４（Ｂ）は、導光板１ｄにおける第１および第５領域ＡＲ３１、ＡＲ３５での断面図であり、図１４（Ｃ）は、導光板１ｄにおける第２および第４領域ＡＲ３２、ＡＲ３４での断面図であり、図１４（Ｄ）は、導光板１ｄにおける第３領域ＡＲ３３での断面図であり、そして、図１４（Ｅ）導光板１ｄにおける入射面ＦＳｉｎの部分を拡大して示す一部拡大正面図である。
【０１１０】
第１ないし第３実施形態における照明装置Ｄａ〜Ｄｃは、長尺方向に直線的に沿った２種類の光路変更部１１ａ〜１１ｃを備えたが、第４実施形態における照明装置Ｄｄは、長尺方向につづら折りで屈曲を重ねながら沿う３種類の光路変更部１１ｄを備える装置である。
【０１１１】
このような第４実施形態における照明装置Ｄｄは、第１ないし第３実施形態における照明装置Ｄａ〜Ｄｃに類似し、例えば、導光板１ｄと、複数の光源部２と、拡散板（拡散シート）３と、反射板（反射シート）４ａと、点消灯制御部５とを備える。これら第４実施形態の照明装置Ｄｄにおける複数の光源部２、拡散板３、反射板４ａおよび点消灯制御部５は、それぞれ、第１ないし第３実施形態の照明装置Ｄａ〜Ｄｃにおける複数の光源部２、拡散板３、反射板４ａおよび点消灯制御部５と同様であるので、その説明を省略する。したがって、第４実施形態における照明装置Ｄｂは、第１ないし第３実施形態における照明装置Ｄａ〜Ｄｃにおいて、導光板１ａ〜１ｃに代え導光板１ｄを備え、これに応じて複数の光源部２−１〜２−１８のグループＧｒ分けを変更し、この変更したグループＧｒごとに複数の光源部２−１〜２−１８を点消灯制御部５によって制御するものである。
【０１１２】
導光板１ｄは、導光板１ａ〜１ｃに類似し、所定の面から入射された光を導光し、前記導光した光を所定の他の面から出射する光学部品である。このような導光板１ｄは、例えば、図１４に示すように、入射面ＳＦｉｎと、第１および第２主面ＳＦ１、ＳＦ２と、複数の光路変更部１１ｄとを備える。より具体的には、導光板１ｄは、図１４に示す例では、大略、一方向に沿って長尺な厚さの比較的薄い直方体の板状体であり、少なくとも導光すべき光の波長帯に対し、透光性を有する材料から形成される。第４実施形態の導光板１ｄにおける入射面ＳＦｉｎ、第１主面ＳＦ１および第２主面ＳＦ２は、それぞれ、入射面ＳＦｉｎの凹凸部１７および光路変更部１１ｄの点を除き、第１ないし第３実施形態の導光板１ａ〜１ｃにおける入射面ＳＦｉｎ、第１主面ＳＦ１および第２主面ＳＦ２と同様であるので、その説明を省略する。
【０１１３】
第４実施形態では、導光板１ｄの入射面ＳＦｉｎに、図１４に示すように、凹凸形状を持つ凹凸部１７がさらに設けられている。より具体的には、図１４（Ｅ）に示すように、凹凸部１７は、厚さ方向に沿って延びるとともに長尺方向に沿って互いに平行となるように所定の第２間隔（第２ピッチ）で並設されたＸＹ平面で断面Ｖ字状の複数の第２Ｖ条溝である。
【０１１４】
複数の光路変更部１１ｄは、複数の光路変更部１１ａ〜１１ｃに類似し、光の進行方向を変えるものであり、少なくとも２つの領域ＡＲで互いに異なる。そして、この少なくとも２つの領域ＡＲで互いに異なる前記複数の光路変更部１１ｄは、最大強度の出射角度が異なるように、その形状および拡散度のうちの少なくとも一方が異なっている。さらに、この少なくとも２つの領域ＡＲで互いに異なる前記複数の光路変更部１１ｃは、所定の閾値以上である出射強度の幅が異なるように、その形状および拡散度のうちの少なくとも一方が異なっている。図１４に示す例では、第２主面ＳＦ２上に形成された５個の第１ないし第５光路変更部１１１ｄ、１１２ｄ、１１３ｄ、１１４ｄ、１１５ｄを備え、複数の領域ＡＲは、これに対応して５個の第１ないし第５領域ＡＲ３１、ＡＲ３２、ＡＲ３３、ＡＲ３４、ＡＲ３５を備える。第１光路変更部１１１ｄは、第１領域ＡＲ３１に設けられ、第２光路変更部１１２ｄは、第２領域ＡＲ３２に設けられ、第３光路変更部１１３ｄは、第３領域ＡＲ３３に設けられ、第４光路変更部１１４ｄは、第４領域ＡＲ３４に設けられ、第５光路変更部１１５ｄは、第５領域ＡＲ３５に設けられている。すなわち、第１光路変更部１１１ｄの長尺方向に沿って一方に隣接する位置には、第２光路変更部１１２ｄが設けられ、第２光路変更部１１１ｄの長尺方向に沿って一方に隣接する位置には、第２光路変更部１１２ｄが設けられ、第２光路変更部１１２ｄの長尺方向に沿って一方に隣接する位置には、第３光路変更部１１３ｄが設けられ、第３光路変更部１１３ｄの長尺方向に沿って一方に隣接する位置には、第４光路変更部１１４ｄが設けられ、第４光路変更部１１４ｄの長尺方向に沿って一方に隣接する位置には、第５光路変更部１１５ｄが設けられている。そして、第１ないし第５光路変更部１１１ｄ〜１１５ｄそれぞれは、所定の第３間隔（第３ピッチ）ごとに方向を変えながら前記長尺方向に沿って斜めに延びるとともに前記長尺方向に直交する短尺方向に互いに平行となるように所定のピッチで並設された断面Ｖ字状の複数のＶ条溝である。すなわち、第１ないし第５光路変更部１１１ｄ〜１１５ｄそれぞれにおいて、Ｖ条溝は、ＸＹ平面内では、前記長尺方向に対し＋所定角度で（＋Ｙ軸方向へ）斜めに所定距離だけ延び、その位置で屈曲し、続いて前記長尺方向に対し−所定角度（−Ｙ軸方向へ）で斜めに所定距離だけ延び、これを繰り返している。第３光路変更部１１３ｄにおける各Ｖ条溝は、その最深部の深さが第２および第４光路変更部１１２ｄ、１１４ｄにおける各Ｖ条溝の最深部の深さより深くなるように、そして、第２ないし第４光路変更部１１２ｄ〜１１４ｄの各ピッチが互いに等しくなるように、形成されている。さらに、第２および第４光路変更部１１２ｄ、１１４ｄにおける各Ｖ条溝は、その最深部の深さが第１および第５光路変更部１１１ｄ、１１５ｄにおける各Ｖ条溝の最深部の深さより深くなるように、そして、第１、第２、第４および第５光路変更部１１１ｄ、１１２ｄ、１１４ｄ、１１５ｄの各ピッチが互いに等しくなるように、形成されている。この例では、第１および第５光路変更部１１１ｄ、１１５ｄは、互いに同じであり、第２および第４光路変更部１１２ｄ、１１４ｄは、互いに同じであり、第１および第５光路変更部１１１ｄ、１１５ｄは、第２および第４光路変更部１１２ｄ、１１４ｄと異なるとともに第３光路変更部１１３ｄとも異なり、第２および第４光路変更部１１２ｄ、１１４ｄは、第３光路変更部１１３ｄと異なる。また、第１ないし第５光路変更部１１１ｄ〜１１５ｄにおける各第１斜面ＳＳ１および各第２斜面ＳＳ２は、互いに同じ拡散度になるように、形成されている。
【０１１５】
したがって、第４実施形態の照明装置Ｄｄにおける導光板１ｄでは、第１および第５光路変更部１１１ｄ、１１５ｄと、第２および第４光路変更部１１２ｄ、１１４ｄと、第３光路変更部１１３ｄは、互いに異なる形状で同じ拡散度である。
【０１１６】
なお、この第４実施形態では、上述の導光板１ｄに対応するように、入射面ＳＦｉｎは、５個の第１ないし第５光路変更部１１１ｄ〜１１５ｄそれぞれを設けた５個の第１ないし第５領域ＡＲ３１〜ＡＲ３５に対応して５個の入射面領域ＡＲｉｎ３１〜ＡＲｉｎ３５に分割されている。これに対応して１８個の光源部２−１〜２−１８は、５個の第１ないし第５グループＧｒ３１〜Ｇｒ３５に分割されており、紙面左から右へ順に、３個の光源部２−１〜２−３は、第１グループＧｒ３１に割り当てられ、３個の光源部２−４〜２−６は、第２グループＧｒ３２に割り当てられ、６個の光源部２−７〜２−１２は、第３グループＧｒ３３に割り当てられ、３個の光源部２−１３〜２−１５は、第４グループＧｒ３４に割り当てられ、３個の光源部２−１６〜２−１８は、第５グループＧｒ３５に割り当てられている。そして、これら１８個の光源部２−１〜２−１８は、そのグループＧｒごとに点消灯制御部５に接続され、グループＧｒごとに点消灯制御部５によって制御される。
【０１１７】
このような構成の照明装置Ｄｄでは、点消灯制御部５の制御によって、第１および第５グループＧｒ３１、Ｇｒ３５に属する複数の光源部２−１〜２−３、２−１６〜２−１８が点灯され、第２ないし第４グループＧｒ３２〜Ｇｒ３４に属する複数の光源部２−４〜２−１５が消灯されると、第１および第５グループＧｒ３１、Ｇｒ３５に属する複数の光源部２−１〜２−３、２−１６〜２−１８それぞれから放射された各出射光は、導光板１ｄにおける入射面ＳＦｉｎの第１および第５入射面領域ＡＲｉｎ３１、ＡＲｉｎ３５から入射され、導光板１ｄ内を導光し、第１実施形態と同様に作用し、拡散板３から第７配光分布で出射し、所定の面に第７照度分布で照明する。
【０１１８】
また、点消灯制御部５の制御によって、第２および第４グループＧｒ３２、Ｇｒ３４に属する複数の光源部２−４〜２−６、２−１３〜２−１５が点灯され、第１、第３および第５グループＧｒ３１、Ｇｒ３３、Ｇｒ３５に属する複数の光源部２−１〜２−３、２−７〜２−１２、２−１６〜２−１８が消灯されると、第２および第４グループＧｒ３２、Ｇｒ３４に属する複数の光源部２−４〜２−６、２−１３〜２−１５それぞれから放射された各出射光は、導光板１ｄにおける入射面ＳＦｉｎの第２および第４入射面領域ＡＲｉｎ３２、ＡＲｉｎ３４から入射され、導光板１ｄ内を導光し、第１実施形態と同様に作用し、拡散板３から第８配光分布で出射し、所定の面に第８照度分布で照明する。
【０１１９】
また、点消灯制御部５の制御によって、第３グループＧｒ３３に属する複数の光源部２−７〜２−１２が点灯され、第１、第２、第４および第５グループＧｒ３１、Ｇｒ３２、Ｇｒ３４、Ｇｒ３５に属する複数の光源部２−１〜２−６、２−１３〜２−１８が消灯されると、第３グループＧｒ３３に属する複数の光源部２−７〜２−１２それぞれから放射された各出射光は、導光板１ｄにおける入射面ＳＦｉｎの第３入射面領域ＡＲｉｎ３３から入射され、導光板１ｄ内を導光し、第１実施形態と同様に作用し、拡散板３から第９配光分布で出射し、所定の面に第９照度分布で照明する。
【０１２０】
ここで、第１および第５光路変更部１１１ｄ、１１５ｄと、第２および第４光路変更部１１２ｄ、１１４ｄと、第３光路変更部１１３ｄとは、互いに異なるので、第７配光分布と第８配光分布と第９配光分布とは、互いに異なり、したがって、第７照度分布と第８照度分布と第９照度分布とは、互いに異なるものとなる。
【０１２１】
第４実施形態の一実施例では、次に示す第７ないし第９配光分布、および、第７ないし第９照度分布となっている。
【０１２２】
図１５は、第１および第５領域に対応する光源を点灯させた場合において、第４実施形態の照明装置における出射角度強度分布を示す図である。図１６は、第１および第５領域に対応する光源を点灯させた場合において、第４実施形態の照明装置における照度分布を示す図である。図１７は、第２および第４領域に対応する光源を点灯させた場合において、第４実施形態の照明装置における出射角度強度分布を示す図である。図１８は、第２および第４領域に対応する光源を点灯させた場合において、第４実施形態の照明装置における照度分布を示す図である。図１９は、第３領域に対応する光源を点灯させた場合において、第４実施形態の照明装置における出射角度強度分布を示す図である。図２０は、第３領域に対応する光源を点灯させた場合において、第４実施形態の照明装置における照度分布を示す図である。図１５、図１７および図１９における各横軸は、度単位で示す角度であり、これら各縦軸は、ｃｄ（カンデラ）単位で示す出射光強度である。図１６、図１８および図２０において、紙面下側に図示されたグラフの各横軸は、前記評価面に設定されたＸＹＺ直交座標系におけるＸ軸であり、これら各縦軸は、照度であり、紙面右側に図示されたグラフの各横軸は、照度であり、これらの各縦軸は、前記評価面に設定されたＸＹＺ直交座標系におけるＹ軸である。
【０１２３】
この一実施例では、導光板１ｄは、長尺方向の長さが２５０ｍｍであり、短尺方向の長さが５６ｍｍであり、厚さが１３ｍｍである。第１および第５光路変更部１１１ｄ、１１５ｄは、ＺＹ断面において、第２主面ＳＦ２と第１斜面ＳＳ１とのなす角度が１０度であり、第２主面ＳＦ２と第２斜面ＳＳ２とのなす角度が８０度であり、その頂角が９０度であるように、そして、ＸＹ平面において、屈曲点の頂角が１４０度であり第３ピッチが１４ｍｍであるように、形成された複数のＶ条溝である。第２および第４光路変更部１１２ｄ、１１４ｄは、ＺＹ断面において、第２主面ＳＦ２と第１斜面ＳＳ１とのなす角度が２０度であり、第２主面ＳＦ２と第２斜面ＳＳ２とのなす角度が７０度であり、その頂角が９０度であるように、そして、ＸＹ平面において、屈曲点の頂角が１４０度であり第３ピッチが１４ｍｍであるように、形成された複数のＶ条溝である。第３光路変更部１１３ｄは、ＺＹ断面において、第２主面ＳＦ２と第１斜面ＳＳ１とのなす角度が３０度であり、第２主面ＳＦ２と第２斜面ＳＳ２とのなす角度が６０度であり、その頂角が９０度であるように、そして、ＸＹ平面において、屈曲点の頂角が１４０度であり第３ピッチが１４ｍｍであるように、形成された複数のＶ条溝である。第１、第２、第４および第５領域ＡＲ３１、ＡＲ３２、ＡＲ３４、ＡＲ３５は、互いに同じ面積であり、第３領域ＡＲ３５は、第１領域ＡＲ３１の面積の２倍である。
【０１２４】
このような寸法の導光板１ｄを用いた照明装置Ｄｄが、照明装置Ｄｂと同様に、図４に示す上述の所定の評価面（照明装置Ｄｄの照明面）に対し配置され、照度分布が評価された。
【０１２５】
第１および第５領域ＡＲ３１、ＡＲ３５に対応する第１および第５グループＧｒ３１、Ｇｒ３５に属する複数の光源部２−１〜２−３、２−１６〜２−１８を点灯させるとともに、第２ないし第４領域ＡＲ３２〜ＡＲ３４に対応する第２ないし第４グループＧｒ３２〜Ｇｒ３４に属する複数の光源部２−４〜２−１５を消灯させた場合、出射角度強度分布は、図１５に示す分布であり、照度分布は、図１６に示す分布であった。
【０１２６】
また、第２および第４領域ＡＲ３２、ＡＲ３４に対応する第２および第４グループＧｒ３２、Ｇｒ３４に属する複数の光源部２−４〜２−６、２−１３〜２−１５を点灯させるとともに、第１、第３および第５領域ＡＲ３１、ＡＲ３３、ＡＲ３５に対応する第１、第３および第５グループＧｒ３１、Ｇｒ３３、Ｇｒ３５に属する複数の光源部２−１〜２−３、２−７〜２−１２、２−１６〜２−１８を消灯させた場合、出射角度強度分布は、図１７に示す分布であり、照度分布は、図１８に示す分布であった。
【０１２７】
また、第３領域ＡＲ３３に対応する第３グループＧｒ３３に属する複数の光源部２−７〜２−１２を点灯させるとともに、第１、第２、第４および第５領域ＡＲ３１、ＡＲ３２、ＡＲ３４、ＡＲ３５に対応する第１、第２、第４および第５グループＧｒ３１、Ｇｒ３２、Ｇｒ３４、Ｇｒ３５に属する複数の光源部２−１〜２−６、２−１３〜２−１８を消灯させた場合、出射角度強度分布は、図１９に示す分布であり、照度分布は、図２０に示す分布であった。
【０１２８】
これら図１５、図１７および図１９から分かるように、第１および第５領域ＡＲ３１、ＡＲ３５に対応する第１および第５グループＧｒ３１、Ｇｒ３５に属する複数の光源部２−１〜２−３、２−１６〜２−１８のみを点灯させた場合、出射光束は、第１方向では＋６０度方向にピークを持ち、第２方向では＋６０度方向および−６０度方向それぞれにピークを持ち（図１５参照）、また、第２および第４領域ＡＲ３２、ＡＲ３４に対応する第２および第４グループＧｒ３２、Ｇｒ３４に属する複数の光源部２−４〜２−６、２−１３〜２−１５のみを点灯させた場合、出射光束は、第１方向では＋３５度方向ないし＋６０度方向の範囲にピークを持ち、第２方向では＋５０度方向および−５０度方向それぞれにピークを持ち（図１７参照）、また、第３領域ＡＲ３３に対応する第３グループＧｒ３３に属する複数の光源部２−７〜２−１２のみを点灯させた場合、出射光束は、第１方向では＋２０度方向にピークを持ち、第２方向では＋４０度方向および−４０度方向それぞれにピークを持ち（図１９参照）、それぞれ、異なる配光分布が得られている。また、第１方向だけでなく第２方向にも光が射出されている。その結果、図１６、図１８および図２０に示すように、これら各場合における照度分布も異なる。
【０１２９】
さらに、第２および第４領域ＡＲ３２、ＡＲ３４に対応する第２および第４グループＧｒ３２、Ｇｒ３４に属する複数の光源部２−４〜２−６、２−１３〜２−１５のみを点灯させた場合、出射光束は、上述に加えてさらに第１方向において＋６０度方向にもピークを持っている（図１７参照）。光源部２から出射された出射光が拡がりを持つ場合、当該入射面領域ＡＲｉｎに対応する領域ＡＲの光路変更部１１ｄだけでなく、他の領域ＡＲの光路変更部１１ｄでも光路変更され、上記ピークを持つ。図１９に示す場合も同様である。このように当該入射面領域ＡＲｉｎに対応する領域ＡＲの光路変更部１１ｄだけでなく、他の領域ＡＲの光路変更部１１ｄでも光路変更される場合、光源部２の強度変化に対し、照射面での強度変化は、緩やかとなるので、例えば照射面が揺らいでいるかのような照明を実現する際には、効果的である。なお、これに反し、当該入射面領域ＡＲｉｎに対応する領域ＡＲの光路変更部１１ｄだけで光路変更したい場合には、例えば、光源部２の出射角度を制限することによって、あるいは、各領域ＡＲ間を離間することによって、実現できる。この光源部２の出射角度の制限は、配光を制限する砲弾型のＬＥＤを用いる方法、入射面ＳＦｉｎに集光機能を持つ凹凸部を形成する方法、光源部２の光路中に集光機能を有するレンズを配置する方法等によって実現できる。
【０１３０】
以上説明したように、第４実施形態における照明装置Ｄｄおよびこれに用いられた導光板１ｄは、第１実施形態における照明装置Ｄａおよびこれに用いられた導光板１ａと同様の作用効果を奏している。
【０１３１】
また、第４実施形態における照明装置Ｄｄおよびこれに用いられた導光板１ｃでは、第１ないし第５光路変更部１１１ｄ〜１１５ｄは、最大強度の出射角度が異なるように、その形状および拡散度のうちの少なくとも一方が異なることで、上述では、その形状が異なることで、最大強度の出射角度（主照明方向）を規定できている。
【０１３２】
また、第３実施形態における照明装置Ｄｃおよびこれに用いられた導光板１ｃでは、第１および第２光路変更部１１１ｃ、１１２ｃは、所定の閾値以上である出射強度の幅が異なるように、その形状および拡散度のうちの少なくとも一方が異なることで、上述では、その形状が異なることで、所定の閾値以上である出射強度の幅（照明幅）を規定できている。
【０１３３】
また、第４実施形態における照明装置Ｄｄおよびこれに用いられた導光板１ｄは、入射面ＳＦｉｎに凹凸部１７を備えることによって入射面ＳＦｉｎでも入射光を制御できるので、配光分布を制御する上で、光路変更部１１ｄに加えて入射面ＳＦｉｎの凹凸部１７も設計対象にできるから、設計対象の自由度が増え、配光分布の制御がより容易になる。また、第４実施形態における照明装置Ｄｄおよびこれに用いられた導光板１ｄは、入射面ＳＦｉｎの凹凸部１７によって入射光を拡散できるので、導光板１ｄの出射面の美観も向上できる。
【０１３４】
次に、別の実施形態について説明する。
【０１３５】
（第５実施形態）
図２１は、第５実施形態の照明装置における導光板の構成を主に示す図である。図２１（Ａ）は、主に導光板１ｅの構成を示す正面図であり、図２１（Ｂ）は、導光板１ｅにおける第１および第５領域ＡＲ４１、ＡＲ４５での断面図であり、図２１（Ｃ）は、導光板１ｅにおける第２および第４領域ＡＲ４２、ＡＲ４４での断面図であり、図２１（Ｄ）は、導光板１ｅにおける第３領域ＡＲ４３での断面図であり、そして、図２１（Ｅ）は、Ｖ凸条体の第１ないし第５光路変更部１１１ｅ〜１１５ｅを拡大して示す一部拡大図である。
【０１３６】
第１ないし第４実施形態における照明装置Ｄａ〜Ｄｄは、凹条体で形成した複数の光路変更部１１ａ〜１１ｄを備えたが、第５実施形態における照明装置Ｄｅは、凸条体で形成した複数の光路変更部１１ｅを備える装置である。以下では、第５実施形態における照明装置Ｄｅについて、凹状体（その一例としてＶ条溝）で形成した複数の光路変更部１１ｄを備えた第４実施形態の照明装置Ｄｄを第５実施形態の照明装置Ｄｅに変形した場合について説明するが、凹状体（その一例としてＶ条溝）で形成した複数の光路変更部１１ａ〜１１ｃを備えた第１ないし第３実施形態の照明装置Ｄａ〜Ｄｃそれぞれも、同様に、第５実施形態の照明装置Ｄｅに変形できる。
【０１３７】
このような第５実施形態における照明装置Ｄｅは、第４実施形態における照明装置Ｄｄに類似し、例えば、導光板１ｅと、複数の光源部２と、拡散板（拡散シート）３と、反射板（反射シート）４ａと、点消灯制御部５とを備える。これら第５実施形態の照明装置Ｄｅにおける複数の光源部２、拡散板３、反射板４ａおよび点消灯制御部５は、それぞれ、第４実施形態の照明装置Ｄｄにおける複数の光源部２、拡散板３、反射板４ａおよび点消灯制御部５と同様であるので、その説明を省略する。したがって、第５実施形態における照明装置Ｄｅは、第４実施形態における照明装置Ｄｄにおいて、導光板１ｄに代え導光板１ｅを備え、これに応じて複数の光源部２−１〜２−１８のグループＧｒ分けを変更し、この変更したグループＧｒごとに複数の光源部２−１〜２−１８を点消灯制御部５によって制御するものである。
【０１３８】
導光板１ｅは、導光板１ｄに類似し、所定の面から入射された光を導光し、前記導光した光を所定の他の面から出射する光学部品である。このような導光板１ｅは、例えば、入射面ＳＦｉｎと、第１および第２主面ＳＦ１、ＳＦ２と、複数の光路変更部１１ｅとを備える。第５実施形態の導光板１ｅにおける入射面ＳＦｉｎ、第１主面ＳＦ１および第２主面ＳＦ２は、それぞれ、第２主面ＳＦ２ではなく第１主面ＳＦ１に形成された光路変更部１１ｅの点を除き、第４実施形態の導光板１ｄにおける入射面ＳＦｉｎ、第１主面ＳＦ１および第２主面ＳＦ２と同様であるので、その説明を省略する。
【０１３９】
複数の光路変更部１１ｅは、例えば複数の光路変更部１１ｄに類似し、光の進行方向を変えるものであり、少なくとも２つの領域ＡＲで互いに異なる。一例では、第１主面ＳＦ１上に形成された５個の第１ないし第５光路変更部１１１ｅ、１１２ｅ、１１３ｅ、１１４ｅ、１１５ｅを備え、複数の領域ＡＲは、これに対応して５個の第１ないし第５領域ＡＲ４１、ＡＲ４２、ＡＲ４３、ＡＲ４４、ＡＲ４５を備える。これら第５実施形態における複数の光路変更部１１ｅ（一例では１１１ｅ〜１１５ｅ）は、図２１に示すように、第４実施形態における複数の光路変更部１１ｄ（一例では１１１ｄ〜１１５ｄ）が複数のＶ条溝であったが、複数のＶ突条である点を除き、第４実施形態における複数の光路変更部１１ｄ（一例では１１１ｄ〜１１５ｄ）と同様である。
【０１４０】
すなわち、第１ないし第５光路変更部１１１ｅ〜１１５ｅそれぞれは、所定の第３間隔（第３ピッチ）ごとに方向を変えながら前記長尺方向に沿って斜めに延びるとともに前記長尺方向に直交する短尺方向に互いに平行となるように所定のピッチで並設された断面Ｖ字状（三角形状）の複数のＶ突条である。すなわち、第１ないし第５光路変更部１１１ｅ〜１１５ｅそれぞれにおいて、Ｖ突条は、ＸＹ平面内では、前記長尺方向に対し＋所定角度で（＋Ｙ軸方向へ）斜めに所定距離だけ延び、その位置で屈曲し、続いて前記長尺方向に対し−所定角度（−Ｙ軸方向へ）で斜めに所定距離だけ延び、これを繰り返している。そして、第１ないし第５光路変更部１１１ｅ〜１１５ｅそれぞれにおける各Ｖ突条は、それぞれ、互いに隣接する屈曲点間では、入射面ＳＦｉｎから遠ざかるに従って第１主面ＳＦ１から離間する第１斜面ＳＳ１と、第１斜面ＳＳ１に連接し入射面ＳＦｉｎにから遠ざかるに従って第１主面ＳＦ１に近接する第２斜面ＳＳ２とを持ち、その最頂部に対し非対称な突条体である。言い換えれば、第１斜面ＳＳ１は、一側面の入射面ＳＦｉｎからこれに対向する他の側面へ向かうに従って第１主面ＳＦ１から離間するように形成され、第２斜面ＳＳ２は、一側面の入射面ＳＦｉｎからこれに対向する他の側面へ向かうに従って第１主面ＳＦ１に接近するように形成されている。第１主面ＳＦ１と第１斜面ＳＳ１とのなす角度は、第１主面ＳＦ１と第２斜面ＳＳ２とのなす角度より大きい。すなわち、第２斜面ＳＳ２は、第１斜面ＳＳ１に較べて緩やかに傾斜している。したがって、第２斜面ＳＳ２のその傾斜方向（第２傾斜方向）の長さは、第１斜面ＳＳ１のその傾斜方向（第１傾斜方向）の長さよりも長い。第３光路変更部１１３ｅにおける各Ｖ突条は、その最頂部の高さが第２および第４光路変更部１１２ｅ、１１４ｅにおける各Ｖ突条の最頂部の高さより高くなるように、そして、第２ないし第４光路変更部１１２ｅ〜１１４ｅの各ピッチが互いに等しくなるように、形成されている。さらに、第２および第４光路変更部１１２ｅ、１１４ｅにおける各Ｖ突条は、その最頂部の高さが第１および第５光路変更部１１１ｅ、１１５ｅにおける各Ｖ突条の最頂部の高さより高くなるように、そして、第１、第２、第４および第５光路変更部１１１ｅ、１１２ｅ、１１４ｅ、１１５ｅの各ピッチが互いに等しくなるように、形成されている。この例では、第１および第５光路変更部１１１ｅ、１１５ｅは、互いに同じであり、第２および第４光路変更部１１２ｅ、１１４ｅは、互いに同じであり、第１および第５光路変更部１１１ｅ、１１５ｅは、第２および第４光路変更部１１２ｅ、１１４ｅと異なるとともに第３光路変更部１１３ｅとも異なり、第２および第４光路変更部１１２ｅ、１１４ｅは、第３光路変更部１１３ｅと異なる。第３光路変更部１１３ｅにおける第１主面ＳＦ１と第２斜面ＳＳ２とのなす角度は、第２および第４光路変更部１１２ｅ、１１４ｅにおける第１主面ＳＦ１と第２斜面ＳＳ２とのなす角度より大きく、第２および第４光路変更部１１２ｅ、１１４ｅにおける第１主面ＳＦ１と第２斜面ＳＳ２とのなす角度は、第１および第５光路変更部１１１ｅ、１１５ｅにおける第１主面ＳＦ１と第２斜面ＳＳ２とのなす角度より大きい。また、第１ないし第５光路変更部１１１ｅ〜１１５ｅにおける各第１斜面ＳＳ１および各第２斜面ＳＳ２は、互いに同じ拡散度になるように、形成されている。
【０１４１】
したがって、第５実施形態の照明装置Ｄｅにおける導光板１ｅでは、第１および第５光路変更部１１１ｅ、１１５ｅと、第２および第４光路変更部１１２ｅ、１１４ｅと、第３光路変更部１１３ｅは、互いに異なる形状で同じ拡散度である。
【０１４２】
このような構成の照明装置Ｄｅでは、点消灯制御部５の制御によって、第１および第５グループＧｒ３１、Ｇｒ３５に属する複数の光源部２−１〜２−３、２−１６〜２−１８が点灯され、第２ないし第４グループＧｒ３２〜Ｇｒ３４に属する複数の光源部２−４〜２−１５が消灯されると、第１および第５グループＧｒ３１、Ｇｒ３５に属する複数の光源部２−１〜２−３、２−１６〜２−１８それぞれから放射された各出射光は、導光板１ｅにおける入射面ＳＦｉｎの第１および第５入射面領域ＡＲｉｎ４１、ＡＲｉｎ４５から入射され、導光板１ｅ内を導光し、第１実施形態と同様に作用し、拡散板３から第１０配光分布で出射し、所定の面に第１０照度分布で照明する。
【０１４３】
また、点消灯制御部５の制御によって、第２および第４グループＧｒ４２、Ｇｒ４４に属する複数の光源部２−４〜２−６、２−１３〜２−１５が点灯され、第１、第３および第５グループＧｒ４１、Ｇｒ４３、Ｇｒ４５に属する複数の光源部２−１〜２−３、２−７〜２−１２、２−１６〜２−１８が消灯されると、第２および第４グループＧｒ４２、Ｇｒ４４に属する複数の光源部２−４〜２−６、２−１３〜２−１５それぞれから放射された各出射光は、導光板１ｅにおける入射面ＳＦｉｎの第２および第４入射面領域ＡＲｉｎ４２、ＡＲｉｎ４４から入射され、導光板１ｅ内を導光し、第１実施形態と同様に作用し、拡散板３から第１１配光分布で出射し、所定の面に第１１照度分布で照明する。
【０１４４】
また、点消灯制御部５の制御によって、第３グループＧｒ４３に属する複数の光源部２−７〜２−１２が点灯され、第１、第２、第４および第５グループＧｒ４１、Ｇｒ４２、Ｇｒ４４、Ｇｒ４５に属する複数の光源部２−１〜２−６、２−１３〜２−１８が消灯されると、第３グループＧｒ３３に属する複数の光源部２−７〜２−１２それぞれから放射された各出射光は、導光板１ｅにおける入射面ＳＦｉｎの第３入射面領域ＡＲｉｎ４３から入射され、導光板１ｅ内を導光し、第１実施形態と同様に作用し、拡散板３から第１２配光分布で出射し、所定の面に第１２照度分布で照明する。
【０１４５】
ここで、第１および第５光路変更部１１１ｅ、１１５ｅと、第２および第４光路変更部１１２ｅ、１１４ｅと、第３光路変更部１１３ｅとは、互いに異なるので、第１０配光分布と第１１配光分布と第１２配光分布とは、互いに異なり、したがって、第１０照度分布と第１１照度分布と第１２照度分布とは、互いに異なるものとなる。
【０１４６】
第５実施形態の一実施例では、次に示す第１０ないし第１２配光分布、および、第１０ないし第１２照度分布となっている。
【０１４７】
図２２は、第１および第５領域に対応する光源を点灯させた場合において、第５実施形態の照明装置における出射角度強度分布を示す図である。図２３は、第１および第５領域に対応する光源を点灯させた場合において、第５実施形態の照明装置における照度分布を示す図である。図２４は、第２および第４領域に対応する光源を点灯させた場合において、第５実施形態の照明装置における出射角度強度分布を示す図である。図２５は、第２および第４領域に対応する光源を点灯させた場合において、第５実施形態の照明装置における照度分布を示す図である。図２６は、第３領域に対応する光源を点灯させた場合において、第５実施形態の照明装置における出射角度強度分布を示す図である。図２７は、第３領域に対応する光源を点灯させた場合において、第５実施形態の照明装置における照度分布を示す図である。図２２、図２４および図２６における各横軸は、度単位で示す角度であり、これら各縦軸は、ｃｄ（カンデラ）単位で示す出射光強度である。図２３、図２５および図２７において、紙面下側に図示されたグラフの各横軸は、前記評価面に設定されたＸＹＺ直交座標系におけるＸ軸であり、これら各縦軸は、照度であり、紙面右側に図示されたグラフの各横軸は、照度であり、これらの各縦軸は、前記評価面に設定されたＸＹＺ直交座標系におけるＹ軸である。
【０１４８】
この一実施例では、導光板１ｅは、長尺方向の長さが２５０ｍｍであり、短尺方向の長さが５６ｍｍであり、厚さが１３ｍｍである。第１および第５光路変更部１１１ｅ、１１５ｅは、ＺＹ断面において、第１主面ＳＦ２と第１斜面ＳＳ１とのなす角度が８０度であり、第１主面ＳＦ２と第２斜面ＳＳ２とのなす角度が１０度であり、その頂角が９０度であるように、そして、ＸＹ平面において、屈曲点の頂角が１４０度であり第３ピッチが１４ｍｍであるように、形成された複数のＶ突条である。第２および第４光路変更部１１２ｅ、１１４ｅは、ＺＹ断面において、第１主面ＳＦ１と第１斜面ＳＳ１とのなす角度が７０度であり、第１主面ＳＦ１と第２斜面ＳＳ２とのなす角度が２０度であり、その頂角が９０度であるように、そして、ＸＹ平面において、屈曲点の頂角が１４０度であり第３ピッチが１４ｍｍであるように、形成された複数のＶ突条である。第３光路変更部１１３ｅは、ＺＹ断面において、第１主面ＳＦ１と第１斜面ＳＳ１とのなす角度が６０度であり、第１主面ＳＦ１と第２斜面ＳＳ２とのなす角度が３０度であり、その頂角が９０度であるように、そして、ＸＹ平面において、屈曲点の頂角が１４０度であり第３ピッチが１４ｍｍであるように、形成された複数のＶ突条である。第１、第２、第４および第５領域ＡＲ４１、ＡＲ４２、ＡＲ４４、ＡＲ４５は、互いに同じ面積であり、第３領域ＡＲ４５は、第１領域ＡＲ４１の面積の２倍である。
【０１４９】
このような寸法の導光板１ｅを用いた照明装置Ｄｅが、照明装置Ｄｂと同様に、図４に示す上述の所定の評価面（照明装置Ｄｅの照明面）に対し配置され、照度分布が評価された。
【０１５０】
第１および第５領域ＡＲ４１、ＡＲ４５に対応する第１および第５グループＧｒ４１、Ｇｒ４５に属する複数の光源部２−１〜２−３、２−１６〜２−１８を点灯させるとともに、第２ないし第４領域ＡＲ４２〜ＡＲ４４に対応する第２ないし第４グループＧｒ４２〜Ｇｒ４４に属する複数の光源部２−４〜２−１５を消灯させた場合、出射角度強度分布は、図２２に示す分布であり、照度分布は、図２３に示す分布であった。
【０１５１】
また、第２および第４領域ＡＲ４２、ＡＲ４４に対応する第２および第４グループＧｒ４２、Ｇｒ４４に属する複数の光源部２−４〜２−６、２−１３〜２−１５を点灯させるとともに、第１、第３および第５領域ＡＲ４１、ＡＲ４３、ＡＲ４５に対応する第１、第３および第５グループＧｒ４１、Ｇｒ４３、Ｇｒ４５に属する複数の光源部２−１〜２−３、２−７〜２−１２、２−１６〜２−１８を消灯させた場合、出射角度強度分布は、図２４に示す分布であり、照度分布は、図２５に示す分布であった。
【０１５２】
また、第３領域ＡＲ４３に対応する第３グループＧｒ４３に属する複数の光源部２−７〜２−１２を点灯させるとともに、第１、第２、第４および第５領域ＡＲ４１、ＡＲ４２、ＡＲ４４、ＡＲ４５に対応する第１、第２、第４および第５グループＧｒ４１、Ｇｒ４２、Ｇｒ４４、Ｇｒ４５に属する複数の光源部２−１〜２−６、２−１３〜２−１８を消灯させた場合、出射角度強度分布は、図２６に示す分布であり、照度分布は、図２７に示す分布であった。
【０１５３】
これら図２２、図２４および図２６と、図１５、図１７および図１９と比較すると分かるように、第５実施形態における照明装置Ｄｅは、第４実施形態における、第２主面ＳＦ２に設けたＶ条溝を備える第１ないし第５光路変更部１１１ｄ〜１１５ｄに代え、略同様に機能する、第１主面ＳＦ１に設けたＶ突条を備える第１ないし第５光路変更部１１１ｅ〜１１５ｅを用いたので、第４実施形態における照明装置Ｄｄの出射強度分布と大略同じ出射強度分布を持ち、したがって、第４実施形態における照明装置Ｄｄの照度分布と大略同じ照度分布を持つ。
【０１５４】
以上説明したように、第５実施形態における照明装置Ｄｅおよびこれに用いられた導光板１ｅは、上述では第４実施形態における照明装置Ｄｄおよびこれに用いられた導光板１ｄの変形であるので、第４実施形態における照明装置Ｄｄおよびこれに用いられた導光板ｄａと同様の作用効果を奏している。
【０１５５】
次に、別の実施形態について説明する。
【０１５６】
（第６実施形態）
図２８は、第６実施形態の照明装置における導光板の構成を主に示す図である。図２８（Ａ）は、主に導光板１ｆの構成を示す正面図であり、図２８（Ｂ）は、導光板１ｆにおける第１および第５領域ＡＲ５１、ＡＲ５５での断面図であり、図２８（Ｃ）は、導光板１ｆにおける第２および第４領域ＡＲ５２、ＡＲ５４での断面図であり、そして、図２８（Ｄ）は、導光板１ｆにおける第３領域ＡＲ５３での断面図である。
【０１５７】
第４実施形態における照明装置Ｄｄは、両端の第１および第５領域ＡＲ３１、ＡＲ３５から中央の第３領域ＡＲ３３へ向けて光路変更部１１ｄの最深部が順に深くなったが、第６実施形態における照明装置Ｄｆは、逆に、両端の第１および第５領域ＡＲ３１、ＡＲ３５から中央の第３領域ＡＲ３３へ向けて光路変更部１１ｄの最深部が順に浅くなる装置である。
【０１５８】
このような第６実施形態における照明装置Ｄｆは、第４実施形態における照明装置Ｄｄに類似し、例えば、導光板１ｆと、複数の光源部２と、拡散板（拡散シート）３と、反射板（反射シート）４ａと、点消灯制御部５とを備える。これら第６実施形態の照明装置Ｄｆにおける複数の光源部２、拡散板３、反射板４ａおよび点消灯制御部５は、それぞれ、第４実施形態の照明装置Ｄｄにおける複数の光源部２、拡散板３、反射板４ａおよび点消灯制御部５と同様であるので、その説明を省略する。したがって、第６実施形態における照明装置Ｄｆは、第４実施形態における照明装置Ｄｄにおいて、導光板１ｄに代え導光板１ｆを備え、これに応じて複数の光源部２−１〜２−１８のグループＧｒ分けを変更し、この変更したグループＧｒごとに複数の光源部２−１〜２−１８を点消灯制御部５によって制御するものである。
【０１５９】
導光板１ｆは、導光板１ｄに類似し、所定の面から入射された光を導光し、前記導光した光を所定の他の面から出射する光学部品である。このような導光板１ｆは、例えば、入射面ＳＦｉｎと、第１および第２主面ＳＦ１、ＳＦ２と、複数の光路変更部１１ｆとを備える。第６実施形態の導光板１ｆにおける入射面ＳＦｉｎ、第１主面ＳＦ１および第２主面ＳＦ２は、それぞれ、光路変更部１１ｆの点を除き、第４実施形態の導光板１ｄにおける入射面ＳＦｉｎ、第１主面ＳＦ１および第２主面ＳＦ２と同様であるので、その説明を省略する。
【０１６０】
複数の光路変更部１１ｆは、例えば複数の光路変更部１１ｄに類似し、光の進行方向を変えるものであり、少なくとも２つの領域ＡＲで互いに異なる。そして、この少なくとも２つの領域ＡＲで互いに異なる前記複数の光路変更部１１ｆは、中央位置に近い領域ＡＲから出射される第１光束における最大強度の第１出射角度が前記中央位置から遠い第２領域ＡＲの第２光束における最大強度の第２出射角度より大きく、かつ、前記第１光束における強度の半値幅が前記第２光束における強度の半値幅より小さくなるように、前記形状および拡散度のうちの少なくとも一方が異なっている。図２８に示す例では、第２主面ＳＦ２上に形成された５個の第１ないし第５光路変更部１１１ｆ、１１２ｆ、１１３ｆ、１１４ｆ、１１５ｆを備え、複数の領域ＡＲは、これに対応して５個の第１ないし第５領域ＡＲ５１、ＡＲ５２、ＡＲ５３、ＡＲ５４、ＡＲ５５を備える。これら第５実施形態における複数の光路変更部１１ｆ（一例では１１１ｆ〜１１５ｆ）は、図２８に示すように、各領域ＡＲに設けられた各光路変更部１１ｄの深さの関係の点を除き、第４実施形態における複数の光路変更部１１ｄ（一例では１１１ｄ〜１１５ｄ）と同様である。
【０１６１】
前記深さの関係の点について説明すると、第２および第４光路変更部１１２ｆ、１１４ｆにおける各Ｖ条溝は、その最深部の深さが第３光路変更部１１３ｆにおける各Ｖ条溝の最深部の深さより深くなるように、形成されている。第１および第５光路変更部１１１ｆ、１１５ｆにおける各Ｖ条溝は、その最深部の深さが第２および第４光路変更部１１２ｆ、１１４ｆにおける各Ｖ条溝の最深部の深さより深くなるように、形成されている。
【０１６２】
なお、第１ないし第５光路変更部１１１ｆ〜１１５ｆの各ピッチは、互いに等しい。この例では、第１および第５光路変更部１１１ｆ、１１５ｆは、互いに同じであり、第２および第４光路変更部１１２ｆ、１１４ｆは、互いに同じであり、第１および第５光路変更部１１１ｆ、１１５ｆは、第２および第４光路変更部１１２ｆ、１１ｆｄと異なるとともに第３光路変更部１１３ｆとも異なり、第２および第４光路変更部１１２ｆ、１１４ｆは、第３光路変更部１１３ｆと異なる。そして、第１ないし第５光路変更部１１１ｆ〜１１５ｆにおける各第１斜面ＳＳ１および各第２斜面ＳＳ２は、互いに同じ拡散度になるように、形成されている。
【０１６３】
したがって、第６実施形態の照明装置Ｄｆにおける導光板１ｆでは、第１および第５光路変更部１１１ｆ、１１５ｆと、第２および第４光路変更部１１２ｆ、１１４ｆと、第３光路変更部１１３ｆは、互いに異なる形状で同じ拡散度である。
【０１６４】
なお、この第６実施形態では、上述の導光板１ｆに対応するように、入射面ＳＦｉｎは、５個の第１ないし第５光路変更部１１１ｆ〜１１５ｆそれぞれを設けた５個の第１ないし第５領域ＡＲ５１〜ＡＲ５５に対応して５個の入射面領域ＡＲｉｎ５１〜ＡＲｉｎ５５に分割されている。これに対応して１８個の光源部２−１〜２−１８は、５個の第１ないし第５グループＧｒ５１〜Ｇｒ５５に分割されており、紙面左から右へ順に、３個の光源部２−１〜２−３は、第１グループＧｒ５１に割り当てられ、３個の光源部２−４〜２−６は、第２グループＧｒ５２に割り当てられ、６個の光源部２−７〜２−１２は、第３グループＧｒ５３に割り当てられ、３個の光源部２−１３〜２−１５は、第４グループＧｒ５４に割り当てられ、３個の光源部２−１６〜２−１８は、第５グループＧｒ５５に割り当てられている。そして、これら１８個の光源部２−１〜２−１８は、そのグループＧｒごとに点消灯制御部５に接続され、グループＧｒごとに点消灯制御部５によって制御される。
【０１６５】
このような構成の照明装置Ｄｆでは、点消灯制御部５の制御によって、第１および第５グループＧｒ５１、Ｇｒ５５に属する複数の光源部２−１〜２−３、２−１６〜２−１８が点灯され、第２ないし第４グループＧｒ５２〜Ｇｒ５４に属する複数の光源部２−４〜２−１５が消灯されると、第１および第５グループＧｒ５１、Ｇｒ５５に属する複数の光源部２−１〜２−３、２−１６〜２−１８それぞれから放射された各出射光は、導光板１ｆにおける入射面ＳＦｉｎの第１および第５入射面領域ＡＲｉｎ５１、ＡＲｉｎ５５から入射され、導光板１ｆ内を導光し、第１実施形態と同様に作用し、拡散板３から第１３配光分布で出射し、所定の面に第１３照度分布で照明する。
【０１６６】
また、点消灯制御部５の制御によって、第２および第４グループＧｒ５２、Ｇｒ５４に属する複数の光源部２−４〜２−６、２−１３〜２−１５が点灯され、第１、第３および第５グループＧｒ５１、Ｇｒ５３、Ｇｒ５５に属する複数の光源部２−１〜２−３、２−７〜２−１２、２−１６〜２−１８が消灯されると、第２および第４グループＧｒ５２、Ｇｒ５４に属する複数の光源部２−４〜２−６、２−１３〜２−１５それぞれから放射された各出射光は、導光板１ｆにおける入射面ＳＦｉｎの第２および第４入射面領域ＡＲｉｎ５２、ＡＲｉｎ５４から入射され、導光板１ｆ内を導光し、第１実施形態と同様に作用し、拡散板３から第１４配光分布で出射し、所定の面に第１４照度分布で照明する。
【０１６７】
また、点消灯制御部５の制御によって、第３グループＧｒ５３に属する複数の光源部２−７〜２−１２が点灯され、第１、第２、第４および第５グループＧｒ５１、Ｇｒ５２、Ｇｒ５４、Ｇｒ５５に属する複数の光源部２−１〜２−６、２−１３〜２−１８が消灯されると、第３グループＧｒ５３に属する複数の光源部２−７〜２−１２それぞれから放射された各出射光は、導光板１ｆにおける入射面ＳＦｉｎの第３入射面領域ＡＲｉｎ５３から入射され、導光板１ｆ内を導光し、第１実施形態と同様に作用し、拡散板３から第１５配光分布で出射し、所定の面に第１５照度分布で照明する。
【０１６８】
ここで、第１および第５光路変更部１１１ｆ、１１５ｆと、第２および第４光路変更部１１２ｆ、１１４ｆと、第３光路変更部１１３ｆとは、互いに異なるので、第１３配光分布と第１４配光分布と第１５配光分布とは、互いに異なり、したがって、第１３照度分布と第１４照度分布と第１５照度分布とは、互いに異なるものとなる。
【０１６９】
第６実施形態の一実施例では、次に示す第１３ないし第１５配光分布、および、第１３ないし第１５照度分布となっている。
【０１７０】
図２９は、第１および第５領域に対応する光源を点灯させた場合において、第６実施形態の照明装置における出射角度強度分布を示す図である。図３０は、第１および第５領域に対応する光源を点灯させた場合において、第６実施形態の照明装置における照度分布を示す図である。図３１は、第２および第４領域に対応する光源を点灯させた場合において、第６実施形態の照明装置における出射角度強度分布を示す図である。図３２は、第２および第４領域に対応する光源を点灯させた場合において、第６実施形態の照明装置における照度分布を示す図である。図３３は、第３領域に対応する光源を点灯させた場合において、第６実施形態の照明装置における出射角度強度分布を示す図である。図３４は、第３領域に対応する光源を点灯させた場合において、第６実施形態の照明装置における照度分布を示す図である。図２９、図３１および図３３における各横軸は、度単位で示す角度であり、これら各縦軸は、強度である。図３０、図３２および図３４において、紙面下側に図示されたグラフの各横軸は、前記評価面に設定されたＸＹＺ直交座標系におけるＸ軸であり、これら各縦軸は、照度であり、紙面右側に図示されたグラフの各横軸は、照度であり、これらの各縦軸は、前記評価面に設定されたＸＹＺ直交座標系におけるＹ軸である。
【０１７１】
この一実施例では、導光板１ｆは、長尺方向の長さが２５０ｍｍであり、短尺方向の長さが５６ｍｍであり、厚さが１３ｍｍである。第１および第５光路変更部１１１ｆ、１１５ｆは、ＺＹ断面において、第２主面ＳＦ２と第１斜面ＳＳ１とのなす角度が３０度であり、第２主面ＳＦ２と第２斜面ＳＳ２とのなす角度が６０度であり、その頂角が９０度であるように、そして、ＸＹ平面において、屈曲点の頂角が１４０度であり第３ピッチが１４ｍｍであるように、形成された複数のＶ条溝である。第２および第４光路変更部１１２ｆ、１１４ｆは、ＺＹ断面において、第２主面ＳＦ２と第１斜面ＳＳ１とのなす角度が２０度であり、第２主面ＳＦ２と第２斜面ＳＳ２とのなす角度が７０度であり、その頂角が９０度であるように、そして、ＸＹ平面において、屈曲点の頂角が１４０度であり第３ピッチが１４ｍｍであるように、形成された複数のＶ条溝である。第３光路変更部１１３ｆは、ＺＹ断面において、第２主面ＳＦ２と第１斜面ＳＳ１とのなす角度が１０度であり、第２主面ＳＦ２と第２斜面ＳＳ２とのなす角度が８０度であり、その頂角が９０度であるように、そして、ＸＹ平面において、屈曲点の頂角が１４０度であり第３ピッチが１４ｍｍであるように、形成された複数のＶ条溝である。第１、第２、第４および第５領域ＡＲ５１、ＡＲ５２、ＡＲ５４、ＡＲ５５は、互いに同じ面積であり、第３領域ＡＲ５５は、第１領域ＡＲ５１の面積の２倍である。
【０１７２】
このような寸法の導光板１ｆを用いた照明装置Ｄｆが、照明装置Ｄｂと同様に、図４に示す上述の所定の評価面（照明装置Ｄｆの照明面）に対し配置され、照度分布が評価された。
【０１７３】
第１および第５領域ＡＲ５１、ＡＲ５５に対応する第１および第５グループＧｒ５１、Ｇｒ５５に属する複数の光源部２−１〜２−３、２−１６〜２−１８を点灯させるとともに、第２ないし第４領域ＡＲ５２〜ＡＲ５４に対応する第２ないし第４グループＧｒ５２〜Ｇｒ５４に属する複数の光源部２−４〜２−１５を消灯させた場合、出射角度強度分布は、図２９に示す分布であり、照度分布は、図３０に示す分布であった。
【０１７４】
また、第２および第４領域ＡＲ５２、ＡＲ５４に対応する第２および第４グループＧｒ５２、Ｇｒ５４に属する複数の光源部２−４〜２−６、２−１３〜２−１５を点灯させるとともに、第１、第３および第５領域ＡＲ５１、ＡＲ５３、ＡＲ５５に対応する第１、第３および第５グループＧｒ５１、Ｇｒ５３、Ｇｒ５５に属する複数の光源部２−１〜２−３、２−７〜２−１２、２−１６〜２−１８を消灯させた場合、出射角度強度分布は、図３１に示す分布であり、照度分布は、図３２に示す分布であった。
【０１７５】
また、第３領域ＡＲ５３に対応する第３グループＧｒ５３に属する複数の光源部２−７〜２−１２を点灯させるとともに、第１、第２、第４および第５領域ＡＲ５１、ＡＲ５２、ＡＲ５４、ＡＲ５５に対応する第１、第２、第４および第５グループＧｒ５１、Ｇｒ５２、Ｇｒ５４、Ｇｒ５５に属する複数の光源部２−１〜２−６、２−１３〜２−１８を消灯させた場合、出射角度強度分布は、図３３に示す分布であり、照度分布は、図３４に示す分布であった。
【０１７６】
これら図２９、図３１および図３３から分かるように、第１および第５領域ＡＲ５１、ＡＲ５５に対応する第１および第５グループＧｒ５１、Ｇｒ５５に属する複数の光源部２−１〜２−３、２−１６〜２−１８のみを点灯させた場合、出射光束は、第１方向では＋２０度方向にピークを持ち、第２方向では−３５度方向にピークを持ち（図２９参照）、また、第２および第４領域ＡＲ５２、ＡＲ５４に対応する第２および第４グループＧｒ５２、Ｇｒ５４に属する複数の光源部２−４〜２−６、２−１３〜２−１５のみを点灯させた場合、出射光束は、第１方向では＋４０度方向ないし＋６０度方向の範囲にピークを持ち、第２方向では＋５０度方向および−５０度方向にピークを持ち（図３１参照）、また、第３領域ＡＲ３３に対応する第３グループＧｒ５３に属する複数の光源部２−７〜２−１２のみを点灯させた場合、出射光束は、第１方向では＋６０度方向にピークを持ち、第２方向では＋６０度方向および−６０度方向それぞれにピークを持ち（図３３参照）、それぞれ、異なる配光分布が得られている。また、第１方向だけでなく第２方向にも光が射出されている。その結果、図３０、図３２および図３４に示すように、これら各場合における照度分布も異なる。
【０１７７】
そして、第４実施形態（または第５実施形態）と比較すると、図１９および図２６から分かるように、本実施形態では、導光板１ｆの中央の領域ＡＲに第１方向への出射角度強度分布のピーク位置が遠くに（本実施形態では第３領域ＡＲ５３からの出射光束が６０°であるのに対し、第４実施形態では第３領域ＡＲ３３からの出射光束が１５°である）、かつ、そのピーク値に対する半値幅が小さく成っている。角度強度分布の角度が大きくなるほど、ｃｏｓ２の原理で照度が低くなるためである。
【０１７８】
以上説明したように、第６実施形態における照明装置Ｄｆおよびこれに用いられた導光板１ｆは、第１実施形態における照明装置Ｄａおよびこれに用いられた導光板１ａと同様の作用効果を奏している。
【０１７９】
また、第６実施形態における照明装置Ｄｆおよびこれに用いられた導光板１ｆでは、第１ないし第５光路変更部１１１ｆ〜１１５ｆは、中央位置に近い領域から出射される第１光束における最大強度の第１出射角度が前記中央位置から遠い第２領域の第２光束における最大強度の第２出射角度より大きく、かつ、前記第１光束における強度の半値幅が前記第２光束における強度の半値幅より小さくなるように、前記形状および拡散度のうちの少なくとも一方が異なることで、いわゆるｃｏｓ２の原理を考慮して効率よく所望の配光分布を実現できる。
【０１８０】
なお、上述の第１ないし第６実施形態では、光路変更部１１は、第２主面ＳＦ２に設けられたが、これに代え、第１主面ＳＦ１に設けられて良く、あるいは、光路変更部１１は、これに追加して第１主面ＳＦ１にも設けられて良い（すなわち、光路変更部１１は、第１および第２主面ＳＦ１、ＳＦ２それぞれに設けられる）。
【０１８１】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０１８２】
Ｄ、Ｄａ〜Ｄｆ  照明装置
ＳＦｉｎ  入射面
ＳＦ１  第１主面
ＳＦ２  第２主面
ＳＳ１  第１斜面
ＳＳ２  第２斜面
ＡＲ、ＡＲ１〜ＡＲ３、ＡＲ１１、ＡＲ１２、ＡＲ２１、ＡＲ２２、ＡＲ３１〜ＡＲ３５、ＡＲ４１〜ＡＲ４５、ＡＲ５１〜ＡＲ５５  領域
１、１ａ〜１ｆ  導光板
２、２−１〜２−１８  光源部
１１、１１ａ〜１１ｆ  光路変更部
１７  凹凸部
【図１】
2016004700.tif 000003
【図４】
2016004700.tif 000004
【図５】
2016004700.tif 000005
【図６】
2016004700.tif 000006
【図８】
2016004700.tif 000007
【図１０】
2016004700.tif 000008
【図１２】
2016004700.tif 000009
【図１５】
2016004700.tif 000010
【図１７】
2016004700.tif 000011
【図１９】
2016004700.tif 000012
【図２２】
2016004700.tif 000013
【図２４】
2016004700.tif 000014
【図２６】
2016004700.tif 000015
【図２９】
2016004700.tif 000016
【図３１】
2016004700.tif 000017
【図３３】
2016004700.tif 000018
【図２】
2016004700.tif 000019
【図３】
2016004700.tif 000020
【図７】
2016004700.tif 000021
【図９】
2016004700.tif 000022
【図１１】
2016004700.tif 000023
【図１３】
2016004700.tif 000024
【図１４】
2016004700.tif 000025
【図１６】
2016004700.tif 000026
【図１８】
2016004700.tif 000027
【図２０】
2016004700.tif 000028
【図２１】
2016004700.tif 000029
【図２３】
2016004700.tif 000030
【図２５】
2016004700.tif 000031
【図２７】
2016004700.tif 000032
【図２８】
2016004700.tif 000033
【図３０】
2016004700.tif 000034
【図３２】
2016004700.tif 000035
【図３４】
2016004700.tif 000036